(57)【要約】      （修正有）【課題】ディフェクト等の外乱の影響を抑へクロストークを低減した光媒体再生装置を提供する。【解決手段】複数トラックが形成される光媒体からの戻り光ビームが入射される空間光学的にタンジェンシャル方向及びラジアル方向に帯域の異なる複数の信号を形成する光学フィルタ１３１と、光学フィルタ１３１によって形成される複数の第１の信号を、演算して複数のチャンネルの第２の信号を形成する演算部１３２と、第２の信号がそれぞれ入力され、第２の信号を処理して再生信号を得る複数の電気フィルタ１３３１−１３３ｎとを備える。【選択図】図７
2016149172.tif 000002
【特許請求の範囲】
【請求項１】
複数トラックが形成される光媒体を光学的に再生する光媒体再生装置であって、
光媒体からの戻り光ビームが入射され、空間光学的にタンジェンシャル方向およびラジアル方向に帯域の異なる複数の信号を形成する光学フィルタと、
前記光学フィルタによって形成される複数の第１の信号を、演算して複数のチャンネルの第２の信号を形成する演算部と、
前記第２の信号がそれぞれ入力され、前記第２の信号を処理して再生信号を得る電気フィルタとを備える光媒体再生装置。
【請求項２】
前記第１の信号の数と、前記第２の信号の数とが等しいものである請求項１に記載の光媒体再生装置。
【請求項３】
前記光学フィルタは、前記戻り光ビームの光束をタンジェンシャル方向及びラジアル方向に位置の異なる複数の領域に分割し、前記複数の領域にそれぞれ入射した光量に応じた複数の検出信号を、前記第１の信号とする請求項１に記載の光媒体再生装置。
【請求項４】
前記演算部は、前記タンジェンシャル方向に位置の異なる複数の領域の前記検出信号を加算または減算して、前記第２の信号を形成する請求項３に記載の光媒体再生装置。
【請求項５】
前記演算部は、前記ラジアル方向に位置の異なる複数の領域の前記検出信号を加算または減算して、前記第２の信号を形成する請求項３に記載の光媒体再生装置。
【請求項６】
前記演算部は、前記タンジェンシャル方向に位置の異なる複数の領域の検出信号と、前記ラジアル方向に位置の異なる複数の領域の検出信号との一方を他方に対して加算または減算して、前記第２の信号を形成する請求項３に記載の光媒体再生装置。
【請求項７】
前記電気フィルタは、前記複数のチャンネルの信号がそれぞれ供給される複数のイコライザユニットを有し、複数の前記イコライザユニットの出力を演算して等化信号として出力する多入力イコライザ部と、
前記等化信号について２値化処理を行って２値データを得る２値化部とを備える請求項１に記載の光媒体再生装置。
【請求項８】
前記多入力イコライザ部が多入力適応イコライザ部の構成とされ、
前記２値化部の２値検出結果に基づいて得られる等化目標信号と、前記多入力適応イコライザ部から出力される等化信号とから等化誤差を求め、該等化誤差を、前記適応イコライザユニットに適応等化のための制御信号として供給する等化誤差演算部と
を有する請求項７に記載の光媒体再生装置。
【請求項９】
前記多入力適応イコライザ部は、出力信号についてパーシャルレスポンス等化処理を行い、
前記２値化部は、前記多入力適応イコライザ部の等化信号についての２値化処理として最尤復号処理を行い、
前記等化誤差演算部は、前記最尤復号による２値検出結果の畳込処理で得られる等化目標信号と、前記多入力適応イコライザ部から出力される等化信号とを用いた演算により等化誤差を求める請求項８に記載の光媒体再生装置。
【請求項１０】
前記光媒体は、ランド及びグルーブが交互に形成されており、
前記ランド及び前記グルーブの両方に情報を記録された光媒体を再生する請求項１に記載の光媒体再生装置。
【請求項１１】
複数トラックが形成される光媒体を光学的に再生する光媒体再生方法であって、
光学フィルタによって、入射された光媒体からの戻り光ビームを、空間光学的にタンジェンシャル方向およびラジアル方向に帯域の異なる複数の信号を形成し、
演算部によって、前記光学フィルタによって形成される複数の第１の信号を、演算して複数のチャンネルの第２の信号を形成し、
電気フィルタによって、入力される前記第２の信号を処理して、再生信号を得る
光媒体再生方法。
【発明の詳細な説明】
【技術分野】
【０００１】
本開示は、光ディスク等の光媒体を再生する光媒体再生装置及び光媒体再生方法に関する。
【背景技術】
【０００２】
光ディスクの高密度化をはかる方法として、チャンネルビット長、すなわち、マーク長を短くし、線密度方向に高密度化をはかる方法と、もうひとつはトラックピッチを狭くする方法とがある。しかしながら、線密度方向に高密度化をはかると、符号間干渉が増大する問題が発生する。また、トラックピッチを狭くすると、隣接トラックからの情報の漏れ込み（隣接トラッククロストーク）が増大する。隣接トラッククロストーク（以下、単にクロストークと適宜称する）を低減するための方法が提案されている。
【０００３】
例えば特許文献１には、再生対象のトラックと、その両側のトラックとのそれぞれの再生信号を適応イコライザユニットに供給し、適応イコライザユニットのタップ係数を制御することによって、クロストークを打ち消すことが記載されている。
【０００４】
さらに、特許文献２及び特許文献３には、光記録媒体からの反射光をトラック幅方向に空間的に３分割し、３分割された光をそれぞれ検出し、検出信号を定数倍（重み付け）をして加算演算することによって、クロストークの影響を小さくすることが記載されている。また、特許文献２には、さらにビーム進行方向にも重み付けをすることで小さい記録マークの再生信号を強調して再生することができることがアイデアとして示唆されている。
【先行技術文献】
【特許文献】
【０００５】
【特許文献１】特開２０１２−０７９３８５号公報
【特許文献２】特開平８−２４９６６４号公報
【特許文献３】特開平５−２４２５１２号公報
【発明の概要】
【発明が解決しようとする課題】
【０００６】
特許文献１に記載のものは、再生対象のトラックと両側のトラックを同時に読み取るために、３個のビームを必要とする。３個のビームにより読み取られる再生信号の位相を合わせることが必要であった。１ビームが３個のトラックを順次再生し、再生信号を同時化することも可能である。同時化するためのメモリが必要となる。したがって、特許文献１に記載のものは、光ピックアップの構成が複雑となったり、位相合わせが複雑となったり、回路規模が大きくなる問題があった。さらに、特許文献１に記載のものは、線密度方向に高密度化をはかることについては、言及されていない。
【０００７】
また、特許文献２及び特許文献３に記載のものは、領域を分割し、一部の領域に定数倍（重み付け）をして加算することによってクロストークをキャンセルしようとするものである。しかしながら、いずれも本開示にあるようなディフェクトに対する対策を適応等化の前に行うことに関しては記載されていない。また、パーシャルレスポンス最尤復号処理（ＰＲＭＬ検出方式：PartialResponseMaximumLikelihood検出方式）を用いる系での最適な構成や、分割パターンを適応的に変化させてより良好な再生を行うことについては、記載されていない。
【０００８】
本願出願人は、先に、「適応型電気光学多機能フィルタ（ＡＥＲＯ(Adaptive ElectRo
Optical)multi function filter)」を提案している。この技術は、特許文献１乃至３と比較して信号特性を良好とすることができるものである。さらに、かかる技術において、適応イコライザによる処理を行う上で、なるべくディフェクト等の外乱の少ない信号が望ましい。
【０００９】
したがって、本開示の目的は、複数の領域間の信号を演算することによって、ディフェクト等の外乱の影響を抑えることができる光媒体再生装置及び光媒体再生方法を提供することにある。
【課題を解決するための手段】
【００１０】
本開示は、複数トラックが形成される光媒体を光学的に再生する光媒体再生装置であって、
光媒体からの戻り光ビームが入射され、空間光学的にタンジェンシャル方向およびラジアル方向に帯域の異なる複数の信号を形成する光学フィルタと、
光学フィルタによって形成される複数の第１の信号を、演算して複数のチャンネルの第２の信号を形成する演算部と、
第２の信号がそれぞれ入力され、第２の信号を処理して再生信号を得る電気フィルタとを備える光媒体再生装置である。
【００１１】
本開示は、複数トラックが形成される光媒体を光学的に再生する光媒体再生方法であって、
光学フィルタによって、入射された光媒体からの戻り光ビームを、空間光学的にタンジェンシャル方向およびラジアル方向に帯域の異なる複数の信号を形成し、
演算部によって、光学フィルタによって形成される複数の第１の信号を、演算して複数のチャンネルの第２の信号を形成し、
電気フィルタによって、入力される第２の信号を処理して、再生信号を得る
光媒体再生方法である。
【発明の効果】
【００１２】
少なくとも一つの実施形態によれば、ディフェクト等の外乱の多いディスクを再生する場合に、領域間の差をとる演算を行うことによって、エラーレートを低くすることができる。なお、ここに記載された効果は必ずしも限定されるものではなく、本開示中に記載されたいずれかの効果であっても良い。
【図面の簡単な説明】
【００１３】
【図１】本開示の一実施の形態による光ディスク装置の構成を示すブロック図である。
【図２】本開示の一実施の形態における光ピックアップの構成を示す略線図である。
【図３】一実施の形態におけるデータ検出処理部の一例のブロック図である。
【図４】データ検出処理部における多入力適応イコライザの一例のブロック図である。
【図５】適応イコライザユニットの一例のブロック図である。
【図６】等化誤差演算器の一例のブロック図である。
【図７】再生するための構成の一例のブロック図である。
【図８】領域分割のパターンの複数の例を説明するための略線図である。
【図９】線密度とe-MLSEとの関係を表すグラフである。
【図１０】線密度とe-MLSEとの関係を表すグラフである。
【図１１】線密度とe-MLSEとの関係を表すグラフである。
【図１２】タップ係数及びそれに対応する電気フィルタとしての周波数振幅特性を示すグラフである。
【図１３】周波数振幅特性を表すグラフである。
【図１４】タップ係数及び周波数位相特性を表すグラフである。
【図１５】周波数振幅特性を表すグラフである。
【図１６】タップ係数及び周波数位相特性を表すグラフである。
【図１７】線密度とe-MLSEとの関係を表すグラフである。
【図１８】光ディスクの再生信号の説明のための略線図である。
【図１９】線密度とe-MLSEとの関係を表すグラフである。
【図２０】線密度とe-MLSEとの関係を表すグラフである。
【図２１】線密度とe-MLSEとの関係を表すグラフ及び分割パターンＩＶＴ４の略線図である。
【図２２】線密度とe-MLSEとの関係を表すグラフ及び分割パターンＩＶＴ４Ｈの略線図である。
【図２３】適応等化目標の周波数特性を示すグラフである。
【図２４】領域分割のパターンの複数の例を説明するための略線図である。
【図２５】タップ係数の例を示す略線図である。
【図２６】ＰＲ−ＴＬ（４Ｔ）とe-MLSEとの関係を表すグラフである。
【図２７】ＰＲ−ＴＬ（４Ｔ）とe-MLSEとの関係を表すグラフである。
【図２８】ＰＲ−ＴＬ（４Ｔ）とe-MLSEとの関係を表すグラフである。
【図２９】最適なＰＲ−ＴＬ（４Ｔ）と線密度の関係を表すグラフである。
【図３０】最適なＰＲクラスを選択した場合の線密度とe-MLSE及びi-MLSEの関係を表すグラフである。
【図３１】ＰＲ−ＴＬ（４Ｔ）とe-MLSEとの関係を表すグラフである。
【図３２】分割パターンの一例の詳細を示す略線図である。
【図３３】経過チャンネルビット長とe-MLSEとの関係を示すグラフである。
【図３４】経過チャンネルビット長とe-MLSEとの関係を示すグラフである。
【図３５】パターンＩＶＮＳＴ６のより詳細な説明のための略線図である。
【図３６】和差型演算を行う場合の説明のためのグラフである。
【図３７】エラーレートの測定例のグラフである。
【図３８】エラーレートの測定例のグラフである。
【図３９】エラーレートの測定例のグラフである。
【図４０】エラーレートの測定例のグラフである。
【図４１】パターンＶＨＴ４の説明のための略線図である。
【図４２】領域間演算の第１の例の係数とe-MLSEとの関係を示すグラフである。
【図４３】領域間演算の第２の例の係数とe-MLSEとの関係を示すグラフである。
【図４４】領域間演算の第３の例の係数とe-MLSEとの関係を示すグラフである。
【発明を実施するための形態】
【００１４】
以下に説明する実施の形態は、本開示の好適な具体例であり、技術的に好ましい種々の限定が付されている。しかしながら、本開示の範囲は、以下の説明において、特に本開示を限定する旨の記載がない限り、これらの実施の形態に限定されないものとする。本開示の実施の形態の説明の前に、本開示に関連する「適応型電気光学多機能フィルタ（ＡＥＲＯ(Adaptive ElectRo Optical)multi function filter)」について説明する。
【００１５】
「光ディスク装置」
本開示を適用することができる光ディスク装置は、図１に示すように、光記録媒体としての光ディスク１００に対して情報の記録再生を行う光ピックアップ１０１と、光ディスク１００を回転させるスピンドルモータ１０２とを備える。光ピックアップ１０１を光ディスク１００の径方向に移動させるために、スレッド（送りモータ）１０３が設けられている。
【００１６】
光ディスク１００としては、ＢＤ（Blu-ray （登録商標）Disc）等の高密度光ディスクを使用できる。ＢＤは、片面単層で約２５ＧＢ（ギガバイト）、片面２層で約５０ＧＢの記録容量を有する高密度光ディスクである。ＢＤ規格では、ビームスポット径を小とするために、光源波長を４０５ｎｍとし、対物レンズの開口数ＮＡ(Numerical Aperture)を０．８５と大きくしている。ＣＤ規格では、光源波長：７８０ｎｍ、ＮＡ：０．４５、スポット径：２．１１μｍであり、ＤＶＤ規格では、光源波長：６５０ｎｍ、ＮＡ：０．６、スポット径：１．３２μｍである。ＢＤ規格では、スポット径を０．５８μｍまで絞ることができる。
【００１７】
さらに、近年、ＢＤ（Blu-ray （登録商標）Disc）に対し、チャンネルビット長すなわちマーク長を短くし、線密度方向に高密度化をはかり、３層で１００ＧＢ及び４層で１２８ＧＢの大容量化を実現したＢＤＸＬ（登録商標）が実用化されている。
【００１８】
これに加え、さらなる記録容量の増大のためには、グルーブトラック及びランドトラックの両方にデータを記録する方法（ランド／グルーブ記録方式と適宜称する）を採用する光ディスクが望ましい。なお、溝のことをグルーブと称し、グルーブにより形成されるトラックをグルーブトラックと称する。グルーブは、光ディスクを製造する時に、レーザ光によって照射される部分と定義され、隣接するグルーブ間に挟まれるエリアをランドと称し、ランドにより形成されるトラックをランドトラックと称する。さらに、複数の情報記録層が積層された多層光ディスクであれば、より記録容量を増加できる。このような大容量化を実現するためには、DVD-RAMのように溝による±１次回折光が重なる程度の広めな
トラックピッチでかつ溝深さをλ／６程度と深くすることによって光学的に隣接トラック間のクロストークを低減するのではなく、溝による±１次回折光が重ならない狭いトラックピッチでかつ、本開示のように多層光ディスク構造でも他層に溝構造による悪影響を及ぼさないような、BDと同等以下の浅溝構造でも隣接トラック間のクロストークが低減可能な構成が望ましい。
【００１９】
このような高密度記録可能な光ディスク１００が光ディスク装置に装填されると、記録／再生時においてスピンドルモータ１０２によって一定線速度（ＣＬＶ）又は一定角速度（ＣＡＶ）で回転駆動される。再生時には、光ピックアップ（光学ヘッド）１０１によって光ディスク１００上のトラックに記録されたマーク情報の読出が行われる。光ディスク１００に対してのデータ記録時には、光ピックアップ１０１によって光ディスク１００上のトラックに、ユーザーデータがフェイズチェンジマークもしくは色素変化マークとして記録される。
【００２０】
記録可能型ディスクの場合、ウォブリンググルーブによって形成されるトラック上にはフェイズチェンジマークによるレコーディングマークが記録されるが、フェイズチェンジマークはＲＬＬ（１，７）ＰＰ変調方式（ＲＬＬ；Run Length Limited、ＰＰ：Parity preserve/Prohibit rmtr(repeated minimum transition runlength)）等により、１層あたり２３．３ＧＢのＢＤの場合で線密度0.12μｍ/bit、0.08μｍ/channel bitで記録される。同様に、２５ＧＢ／層のＢＤの場合、0.0745μｍ/channel bit、３２ＧＢ／層のＢＤＸＬ（登録商標）の場合、0.05826μｍ/channel bit、３３．４ＧＢ／層のＢＤＸＬ（登録
商標）の場合、0.05587μｍ/channel bitというように、ディスク種別に応じてチャンネ
ルビット長に対応した密度での記録が行われる。チャネルクロック周期を「Ｔ」とすると、マーク長は２Ｔから８Ｔとなる。再生専用ディスクの場合、グルーブは形成されないが、同様にＲＬＬ（１，７）ＰＰ変調方式で変調されたデータがエンボスピット列として記録されている。
【００２１】
光ディスク１００の内周エリア等には、再生専用の管理情報として例えばディスクの物理情報等がエンボスピット又はウォブリンググルーブによって記録される。これらの情報の読出も光ピックアップ１０１により行われる。さらに、光ピックアップ１０１によって光ディスク１００上のグルーブトラックのウォブリングとして埋め込まれたＡＤＩＰ情報の読み出しもおこなわれる。
【００２２】
光ピックアップ１０１内には、レーザ光源となるレーザダイオード、反射光を空間光学的に線密度方向（タンジェンシャル方向）及びトラック密度方向（ラジアル方向）に帯域の異なる複数の信号に分離するための光学フィルタ、光学フィルタによって分離した複数の信号を検出するためのフォトディテクタ、レーザ光の出力端となる対物レンズ、対物レンズを介してディスク記録面にレーザ光を照射し、またその反射光をフォトディテクタに導く光学系等が構成される。光ピックアップ１０１内において対物レンズは二軸機構によってトラッキング方向及びフォーカス方向に移動可能に保持されている。光ピックアップ１０１全体はスレッド機構１０３によりディスク半径方向に移動可能とされている。光ピックアップ１０１のレーザダイオードに対して、レーザドライバ１１３からの駆動電流が供給され、レーザダイオードがレーザを発生する。
【００２３】
光ディスク１００からの反射光がフォトディテクタによって検出され、受光光量に応じた電気信号とされてマトリクス回路１０４に供給される。マトリクス回路１０４には、フォトディテクタとしての複数の受光素子からの出力電流に対応して電流電圧変換回路、マトリクス演算／増幅回路等を備え、マトリクス演算処理により必要な信号を生成する。信号伝送品質を考慮し、電流電圧変換回路及びマトリクス演算／増幅回路の一部をフォトディテクタ素子内に形成するようにしてもよい。例えば再生データに相当する再生情報信号（ＲＦ信号）、サーボ制御のためのフォーカスエラー信号、トラッキングエラー信号などを生成する。さらに、グルーブのウォブリングに係る信号、すなわち、ウォブリングを検出する信号としてプッシュプル信号を生成する。
【００２４】
マトリクス回路１０４から出力される再生情報信号はデータ検出処理部１０５へ供給され、フォーカスエラー信号及びトラッキングエラー信号は光学ブロックサーボ回路１１１へ供給され、プッシュプル信号はウォブル信号処理回路１０６へ供給される。
【００２５】
データ検出処理部１０５は、再生情報信号の２値化処理を行う。例えばデータ検出処理部１０５では、ＲＦ信号のＡ／Ｄ変換処理、ＰＬＬによる再生クロック生成処理、ＰＲ（Partial Response）等化処理、ビタビ復号（最尤復号）等を行い、パーシャルレスポンス最尤復号処理（ＰＲＭＬ検出方式： Partial Response Maximum Likelihood検出方式）により、２値データ列を得るようになされる。データ検出処理部１０５は、光ディスク１００から読み出した情報としての２値データ列を、後段のエンコード／デコード部１０７に対して供給する。
【００２６】
エンコード／デコード部１０７は、再生時における再生データの復調と、記録時における記録データの変調処理を行う。すなわち、再生時にはデータ復調、デインターリーブ、ＥＣＣデコード、アドレスデコード等を行い、記録時には、ＥＣＣエンコード、インターリーブ、データ変調等を行う。
【００２７】
再生時においては、データ検出処理部１０５で復号された２値データ列がエンコード／デコード部１０７に供給される。エンコード／デコード部１０７では、２値データ列に対する復調処理を行い、光ディスク１００からの再生データを得る。すなわち、例えばＲＬＬ（１，７）ＰＰ変調等のランレングスリミテッドコード変調が施されて光ディスク１００に記録されたデータに対しての復調処理と、エラー訂正を行うＥＣＣデコード処理を行って、光ディスク１００からの再生データを得る。
【００２８】
エンコード／デコード部１０７で再生データにまでデコードされたデータは、ホストインターフェース１０８に転送され、システムコントローラ１１０の指示に基づいてホスト機器２００に転送される。ホスト機器２００とは、例えばコンピュータ装置やＡＶ（Audio-Visual）システム機器などである。
【００２９】
光ディスク１００に対する記録／再生時には、ＡＤＩＰ情報の処理が行われる。すなわち、グルーブのウォブリングに係る信号としてマトリクス回路１０４から出力されるプッシュプル信号は、ウォブル信号処理回路１０６においてデジタル化されたウォブルデータとされる。ＰＬＬ処理によりプッシュプル信号に同期したクロックが生成される。ウォブルデータは、ＡＤＩＰ復調処理部１１６で、ＡＤＩＰアドレスを構成するデータストリームに復調されてアドレスデコーダ１０９に供給される。アドレスデコーダ１０９は、供給されるデータについてのデコードを行い、アドレス値を得て、システムコントローラ１１０に供給する。
【００３０】
記録時には、ホスト機器２００から記録データが転送されてくるが、その記録データはホストインターフェース１０８を介してエンコード／デコード部１０７に供給される。エンコード／デコード部１０７は、記録データのエンコード処理として、エラー訂正コード付加（ＥＣＣエンコード）やインターリーブ、サブコードの付加等を行う。これらの処理を施したデータに対して、ＲＬＬ（１−７）ＰＰ方式等のランレングスリミテッドコード変調を施す。
【００３１】
エンコード／デコード部１０７で処理された記録データは、ライトストラテジ部１１４に供給される。ライトストラテジ部１１４では、記録補償処理として、記録層の特性、レーザ光のスポット形状、記録線速度等に対するレーザ駆動パルス波形調整を行う。そして、レーザ駆動パルスをレーザドライバ１１３に出力する。
【００３２】
レーザドライバ１１３は、記録補償処理したレーザ駆動パルスに基づいて、光ピックアップ１０１内のレーザダイオードに電流を流し、レーザ発光を行う。これにより光ディスク１００に、記録データに応じたマークが形成されることになる。
【００３３】
光学ブロックサーボ回路１１１は、マトリクス回路１０４からのフォーカスエラー信号、トラッキングエラー信号から、フォーカス、トラッキング、スレッドの各種サーボドライブ信号を生成しサーボ動作を実行させる。すなわち、フォーカスエラー信号、トラッキングエラー信号に応じてフォーカスドライブ信号、トラッキングドライブ信号を生成し、ドライバ１１８により光ピックアップ１０１内の二軸機構のフォーカスコイル、トラッキングコイルを駆動することになる。これによって、光ピックアップ１０１、マトリクス回路１０４、光学ブロックサーボ回路１１１、ドライバ１１８、二軸機構によるトラッキングサーボループ及びフォーカスサーボループが形成される。
【００３４】
さらに、光学ブロックサーボ回路１１１は、システムコントローラ１１０からのトラックジャンプ指令に応じて、トラッキングサーボループをオフとし、ジャンプドライブ信号を出力することで、トラックジャンプ動作を実行させる。さらに、光学ブロックサーボ回路１１１は、トラッキングエラー信号の低域成分として得られるスレッドエラー信号や、システムコントローラ１１０からのアクセス実行制御などに基づいてスレッドドライブ信号を生成し、スレッドドライバ１１５によりスレッド機構１０３を駆動する。
【００３５】
スピンドルサーボ回路１１２はスピンドルモータ１０２をＣＬＶ回転又はＣＡＶ回転させる制御を行う。スピンドルサーボ回路１１２は、ウォブル信号に対するＰＬＬで生成されるクロックを、現在のスピンドルモータ１０２の回転速度情報として得、これを所定の基準速度情報と比較することで、スピンドルエラー信号を生成する。さらに、データ再生時においては、データ検出処理部１０５内のＰＬＬによって生成される再生クロックが、現在のスピンドルモータ１０２の回転速度情報となるため、これを所定の基準速度情報と比較することでスピンドルエラー信号が生成される。そして、スピンドルサーボ回路１１２は、スピンドルエラー信号に応じて生成したスピンドルドライブ信号を出力し、スピンドルドライバ１１７によりスピンドルモータ１０２のＣＬＶ回転又はＣＡＶ回転を実行させる。
【００３６】
スピンドルサーボ回路１１２は、システムコントローラ１１０からのスピンドルキック／ブレーキ制御信号に応じてスピンドルドライブ信号を発生させ、スピンドルモータ１０２の起動、停止、加速、減速などの動作も実行させる。
【００３７】
以上のようなサーボ系及び記録再生系の各種動作はマイクロコンピュータによって形成されたシステムコントローラ１１０により制御される。システムコントローラ１１０は、ホストインターフェース１０８を介して与えられるホスト機器２００からのコマンドに応じて各種処理を実行する。例えばホスト機器２００から書込命令（ライトコマンド）が出されると、システムコントローラ１１０は、まず書き込むべきアドレスに光ピックアップ１０１を移動させる。そしてエンコード／デコード部１０７により、ホスト機器２００から転送されてきたデータ（例えばビデオデータやオーディオデータ等）について上述したようにエンコード処理を実行させる。そして、エンコードされたデータに応じてレーザドライバ１１３がレーザ発光を駆動することで記録が実行される。
【００３８】
さらに、例えばホスト機器２００から、光ディスク１００に記録されている或るデータの転送を求めるリードコマンドが供給された場合は、システムコントローラ１１０はまず指示されたアドレスを目的としてシーク動作制御を行う。すなわち、光学ブロックサーボ回路１１１に指令を出し、シークコマンドにより指定されたアドレスをターゲットとする光ピックアップ１０１のアクセス動作を実行させる。その後、その指示されたデータ区間のデータをホスト機器２００に転送するために必要な動作制御を行う。すなわち、光ディスク１００からのデータ読出を行い、データ検出処理部１０５、エンコード／デコード部１０７における再生処理を実行させ、要求されたデータを転送する。
【００３９】
なお、図１の例は、ホスト機器２００に接続される光ディスク装置として説明したが、光ディスク装置としては他の機器に接続されない形態もあり得る。その場合は、操作部や表示部が設けられたり、データ入出力のインターフェース部位の構成が、図１とは異なるものとなる。つまり、ユーザーの操作に応じて記録や再生が行われると共に、各種データの入出力のための端子部が形成されればよい。もちろん光ディスク装置の構成例としては他にも多様に考えられる。
【００４０】
「光ピックアップ」
次に、上述した光ディスク装置に用いられる光ピックアップ１０１について、図２を用いて説明する。光ピックアップ１０１は、例えば波長λが４０５ｎｍのレーザ光（ビーム）を用いて、光ディスク１００に情報を記録し、光ディスク１００から情報を再生する。レーザ光は、半導体レーザ（ＬＤ：Laser Diode)１から出射される。
【００４１】
レーザ光がコリメータレンズ２と、偏光ビームスプリッタ（ＰＢＳ：Polarizing Beam
Splitter）３と、対物レンズ４とを通過して光ディスク１００上に照射される。偏光ビームスプリッタ３は、例えばＰ偏光を略々１００％透過させ、Ｓ偏光を略々１００％反射する分離面を有する。光ディスク１００の記録層からの反射光は同じ光路を戻り、偏光ビームスプリッタ３へと入射する。図示しないλ／４素子を介在させることによって、入射したレーザ光は偏光ビームスプリッタ３で略１００％反射される。
【００４２】
偏光ビームスプリッタ３で反射されたレーザ光は、光学フィルタ７で光ディスク１００のラジアル方向（ディスク径方向）及びタンジェンシャル方向（トラック方向）に延びる分割線によって空間光学的に線密度方向及びトラック密度方向に帯域の異なる信号を含む複数の領域に分割され、レンズ５を介してフォトディテクタ６の受光面に集光される。例えば後述するパターンＩＶＴ４（図８Ａ参照）のように、光学フィルタ７の領域が分割されている。フォトディテクタ６は、受光面上に、入射した光を光電変換する受光セルを有する。受光セルは、光学フィルタ７によって複数の領域に分割された光をそれぞれ受光するように配置されている。フォトディテクタ６は、受光セルの各領域の受光量に応じて複数チャンネルの電気信号を出力する。
【００４３】
一例として、光学フィルタ７によって光束が空間光学的に線密度方向及びトラック密度方向に帯域の異なる信号を含む４つの領域に分割される。４つの領域のそれぞれの信号がＡ、Ｃ、Ｅ及びＦと表記される。なお、領域の表記と、その領域から得られる再生信号とを同一の参照符号にて表す。受光信号がマトリクス回路１０４によって演算されて４チャンネルの信号Ｃｈ１〜Ｃｈ４が生成され、４チャンネルの信号Ｃｈ１〜Ｃｈ４がデータ検出処理部１０５に入力される。
【００４４】
なお、図２の光ピックアップ１０１の構成は、本開示を説明するための最小限の構成要素を示しており、マトリクス回路１０４を介して光学ブロックサーボ回路１１１に出力されるフォーカスエラー信号、トラッキングエラー信号や、マトリクス回路１０４を介してウォブル信号処理回路１０６に出力されるプッシュプル信号を生成するための信号等は省略されている。その他、図２に示す構成以外の種々の構成が可能である。
【００４５】
本開示では、光ディスク１００からの戻りビームの光束の断面を複数の領域に分割して、各領域に対応する複数チャンネルの再生信号を得る。領域毎の再生情報信号を得る方法としては、光学フィルタ７によって分割する方法以外にも、フォトディテクタ６を分割することによってフォトディテクタに光学フィルタの機能をもたせる方法も使用できる。光学フィルタ７によって分割する際には、例えば、対物レンズ４を通過し、フォトディテクタ６に至る光路中に、複数の領域を分離するための光路変換素子を配置し、光路変換素子によって分離された複数のビームを異なるフォトディテクタに供給する方法を使用することができ、その光路変換素子としては、ホログラフィック光学素子等の回折素子や、マイクロレンズアレイ、マイクロプリズム等の屈折素子等を使用することができる。
【００４６】
「データ検出処理部」
上述したように、光ピックアップ１０１により光ディスク１００から再生され、各領域に対応する検出信号がマトリクス回路１０４に供給され、演算前の信号数と等しい数の複数チャンネルの信号とされる。データ検出処理部１０５は、図３に示すように、マトリクス回路１０４から供給される再生情報信号が供給されるＡ／Ｄコンバータ１１を有する。なお、図３及び図４は、例えば光ディスク１００からの戻りビームの光束の断面を４個の領域に分割し、マトリクス回路１０４からは、４チャンネルの再生信号Ｃｈ１〜Ｃｈ４が得られる例である。
【００４７】
Ａ／Ｄコンバータ１１に対するクロックがＰＬＬ１２によって形成される。マトリクス回路１０４から供給される再生信号は、Ａ／Ｄコンバータ１１でデジタルデータに変換される。マトリクス回路１０４によって生成された４チャンネルの再生信号Ｃｈ１〜Ｃｈ４がデジタル化されたものを再生情報信号をＳ１〜Ｓ４と表記する。ＰＬＬ１２には、再生情報信号Ｓ１〜Ｓ４を加算回路１７によって加算した信号が供給される。
【００４８】
さらに、データ検出処理部１０５は、多入力適応イコライザ部１３、２値化検出器１４、ＰＲ畳込器１５、等化誤差演算器１６を有する。多入力適応イコライザ部１３は、再生情報信号Ｓ１〜Ｓ４をもとにＰＲ適応等化処理を行う。すなわち、再生情報信号Ｓ１〜Ｓ４が適応イコライザユニットを介して出力され加算された等化信号ｙ０が目標とするＰＲ波形に近似するように等化される。
【００４９】
なお、ＰＬＬ１２へ入力する信号として多入力適応イコライザ部の出力を用いても良い。この場合には、多入力適応イコライザの初期係数をあらかじめ定められた値に設定しておく。また、加算回路１７からの信号を用いる場合でも、単純に再生情報信号Ｓ１〜Ｓ４を加算するのではなく、ＦＩＲフィルタ等によって再生情報信号Ｓ１〜Ｓ４の位相及び振幅の周波数特性を変化させた上で加算するような構成としてもよい。その場合も、ＦＩＲフィルタのタップ係数をあらかじめ定められた値に設定しておく。
【００５０】
２値化検出器１４は例えばビタビデコーダとされ、ＰＲ等化された等化信号ｙ０に対して最尤復号処理を行って２値化データＤＴを得る。この２値化データＤＴは、図１に示したエンコード／デコード部１０７に供給されて再生データ復調処理が行われることになる。ビタビ復号は、所定の長さの連続ビットを単位として構成される複数のステートと、それらの間の遷移によって表されるブランチで構成されるビタビ検出器が用いられ、全ての可能なビット系列の中から、効率よく所望のビット系列を検出するように構成されている。
【００５１】
実際の回路では、各ステートに対してパスメトリックレジスタとよばれるそのステートに至るまでのパーシャルレスポンス系列と信号のパスメトリックを記憶するレジスタ、パスメモリレジスタと呼ばれるそのステートにいたるまでのビット系列の流れを記憶するレジスタの２つのレジスタが用意される。さらに、各ブランチに対してはブランチメトリックユニットとよばれるそのビットにおけるパーシャルレスポンス系列と信号のパスメトリックを計算する演算ユニットが用意されている。
【００５２】
このビタビ復号器では、さまざまなビット系列を、ステートを通過するパスのひとつによって一対一の関係で対応付けることができる。また、これらのパスを通過するようなパーシャルレスポンス系列と、実際の信号（再生信号）との間のパスメトリックは、上記のパスを構成するステート間遷移、すなわち、ブランチにおける前述のブランチメトリックを順次加算していくことで得られる。
【００５３】
さらに、パスメトリックを最小にするようなパスを選択するには、この各ステートにおいて到達する２つ以下のブランチが有するパスメトリックの大小を比較しながら、パスメトリックの小さいパスを順次選択することで実現できる。この選択情報をパスメモリレジスタに転送することで、各ステートに到達するパスをビット系列で表現する情報が記憶される。パスメモリレジスタの値は、順次更新されながら最終的にパスメトリックを最小にするようなビット系列に収束していくので、その結果を出力する。
【００５４】
ＰＲ畳込器１５では、下記の式に示すように、２値化結果の畳み込み処理を行って目標信号Ｚｋを生成する。この目標信号Ｚｋは、２値検出結果を畳み込んだものであるためノイズのない理想信号である。例えばＰＲ（１，２，２，２，１）の場合、チャンネルクロック毎の値Ｐが（１，２，２，２，１）となる。拘束長が５である。さらに、ＰＲ（１，２，３，３，３，２，１）の場合、チャンネルクロック毎の値Ｐが（１，２，３，３，３，２，１）となる。拘束長が７である。さらに、ＰＲ（１，２，３，４，４，４，３，２，１）の場合、チャンネルクロック毎の値Ｐが（１，２，３，４，４，４，３，２，１）となる。拘束長が９である。レーザ光の波長λ＝４０５ｎｍで、対物レンズのＮＡ＝０．８５にて、トラックピッチを０．３２μｍ一定としたときの容量が３５ＧＢを超える程度に記録密度を高くした場合、パーシャルレスポンスの拘束長５から７に長くして検出能力を高くしないと、検出が難しくなり、さらに容量が４５ＧＢ前後を超える程度に記録密度を高くした場合には拘束長を７から９に長くして検出能力を高くする必要がある。なお、下記の式において、ｄは、２値化データを表す。
【００５５】
【数１】
2016149172.tif 000003
【００５６】
等化誤差演算器１６は、多入力適応イコライザ部１３からの等化信号ｙ０と、目標信号Ｚｋから、等化誤差ｅｋを求め、この等化誤差ｅｋを多入力適応イコライザ部１３にタップ係数制御のために供給する。図６に示すように、等化誤差演算器１６は、減算器２６と係数乗算器２７とを備える。減算器２６は、等化信号ｙ０から目標信号Ｚｋを減算する。この減算結果に対して、係数乗算器２７によって所定の係数ａを乗算することで等化誤差ｅｋが生成される。
【００５７】
多入力適応イコライザ部１３は、図４に示すように、適応イコライザユニット２１，２２，２３，２４及び加算器２５を有する。上述した再生情報信号Ｓ１〜Ｓ４が適応イコライザユニット２１〜２４にぞれぞれ入力される。マトリクス回路から出力される再生情報信号が４チャンネルの場合の多入力適応イコライザ部１３の構成が示されている。入力される信号のチャンネル数に対応して適応イコライザユニットが備えられている。
【００５８】
適応イコライザユニット２１，２２，２３，２４の各々は、ＦＩＲ(Finite Impulse Response) フィルタタップ数、その演算精度（ビット分解能）、適応演算の更新ゲインのパラメーターを持ち、各々に最適な値が設定されている。適応イコライザユニット２１，２２，２３，２４の各々には、適応制御のための係数制御値として等化誤差ｅｋが供給される。
【００５９】
適応イコライザユニット２１，２２，２３，２４の出力ｙ１，ｙ２，ｙ３，ｙ４は、加算器２５で加算されて多入力適応イコライザ部１３の等化信号ｙ０として出力される。この多入力適応イコライザ部１３の出力目標は、２値検出結果をＰＲ（パーシャルレスポンス）に畳みこんだ理想ＰＲ波形となっている。
【００６０】
適応イコライザユニット２１は、例えば図５に示すようなＦＩＲフィルタで構成される。適応イコライザユニット２１は、遅延素子３０−１〜３０−ｎ、係数乗算器３１−０〜３１−ｎ、加算器３４を有するｎ＋１段のタップを有するフィルタとされる。係数乗算器３１−０〜３１−ｎは、それぞれ各時点の入力ｘに対してタップ係数Ｃ０〜Ｃｎの乗算を行う。係数乗算器３１−０〜３１−ｎの出力が加算器３４で加算されて出力ｙ０として取り出される。タップ係数は、予め初期値が設定されている。
【００６１】
適応型の等化処理を行うため、タップ係数Ｃ０〜Ｃｎの制御が行われる。このために、等化誤差ｅｋと、各タップ入力が入力されて演算を行う演算器３２−０〜３２−ｎが設けられる。また各演算器３２−０〜３２−ｎの出力を積分する積分器３３−０〜３３−ｎが設けられる。演算器３２−０〜３２−ｎのそれぞれでは、例えば−１＊ｅｋ＊ｘの演算が行われる。この演算器３２−０〜３２−ｎの出力は積分器３３−０〜３３−ｎで積分され、その積分結果により係数乗算器３１−０〜３１−ｎのタップ係数Ｃ０〜Ｃｎが変更制御される。なお、積分器３３−０〜３３−ｎの積分を行うのは、適応係数制御の応答性を調整するためである。
【００６２】
以上の構成のデータ検出処理部１０５では、クロストーク等の不要な信号の低減が行われたうえで２値化データの復号が行われることになる。
【００６３】
適応イコライザユニット２２、２３及び２４も、適応イコライザユニット２１と同様の構成を有する。適応イコライザユニット２１，２２，２３，２４に対して共通の等化誤差ｅｋが供給されて適応等化が行われる。すなわち、適応イコライザユニット２１，２２，２３，２４では、再生情報信号Ｓａ、Ｓｂ、Ｓｃの入力信号周波数成分の誤差、位相歪みを最適化、すなわち適応ＰＲ等化をおこなう。すなわち、演算器３２−０〜３２−ｎでの−１＊ｅｋ＊ｘの演算結果に応じてタップ係数Ｃ０〜Ｃｎが調整される。このことは、等化誤差を解消していく方向にタップ係数Ｃ０〜Ｃｎが調整されることである。
【００６４】
このように、適応イコライザユニット２１，２２，２３、２４では、等化誤差ｅｋを用いてタップ係数Ｃ０〜Ｃｎが、目標の周波数特性となる方向に適応制御される。適応イコライザユニット２１，２２，２３、２４の出力ｙ１，ｙ２，ｙ３，ｙ４が加算器２５で加算されて得られる多入力適応イコライザ部１３の等化信号ｙ０は、クロストークや符号間干渉等が低減された信号となる。
【００６５】
「電気光学フィルタ」
光ディスクから再生された信号は、理想信号に対して、線方向の高密度化による符号間干渉の増大、並びにトラック方向の高密度化による隣接トラックからの信号の漏れ込みの増大によって、理想的な信号から大きく乖離したものとなっている。従来では、電気フィルタによってこの問題を解決している。例えばＢＤＸＬ（登録商標）では、３３．４ＧＢ／Ｌが実現されている。
【００６６】
本開示による高密度記録された信号を再生する構成は、図７に示すものとなる。すなわち、光学フィルタ１３１に再生信号を供給し、光学フィルタ１３１によって、空間光学的に線密度方向（タンジェンシャル方向）及びトラック密度方向（ラジアル方向）に帯域の異なる複数例えばｎ個の第１の信号ｘ１１，ｘ１２，----，ｘ１ｎに分離する。分離したｎ個の第１の信号ｘ１１，ｘ１２，----，ｘ１ｎが演算部１３２に対して供給される。演算部１３２は、第１の信号ｘ１１，ｘ１２，----，ｘ１ｎを演算してｎ個の第２の信号ｘ２１，ｘ２２，----，ｘ２ｎを形成する。この第２の信号ｘ２１，ｘ２２，----，ｘ２ｎが電気フィルタ１３３1〜１３３nに供給される。電気フィルタ１３３1〜１３３nの出力を合算することにより再生信号を得ている。この演算としては、下記に示すものが考えられる。
【数２】
2016149172.tif 000004
【００６７】
光ディスク１００で反射された光ビームの光束を受光し、光学フィルタ７でラジアル方向及びタンジェンシャル方向にそれぞれ延長する分割線によって、空間光学的に線密度方向及びトラック密度方向に帯域の異なる複数の領域に光束が分割される。この複数の領域にそれぞれ入射した光量に応じた複数の受光信号を使用して複数のチャンネルの再生情報信号を形成し、それぞれ電気フィルタに供給する構成となされる。上述した適応イコライザユニットが電気フィルタに相当する。マトリクス回路１０４は領域分割した信号光を別々の受光素子で受光したのち、演算することで光学フィルタの一部の機能を担うものである。
【００６８】
「領域分割のパターンの一例」
最初に本明細書における領域分割のパターンの例について図８を参照して説明する。なお、図中の円がビーム光束の断面の外周を示している。正方形は、例えば複数の領域を分離するための、ホログラフィック光学素子等の回折素子や、マイクロレンズアレイ、マイクロプリズム等の屈折素子等からなる光路変換素子すなわち光学フィルタのエリアもしくは検出用のフォトディテクタの受光セルのエリアを表している。なお、領域分割図の上下方向が戻り光束のタンジェンシャル方向、左右方向がラジアル方向にそれぞれ対応している。さらに、図８に示す領域分割パターンは、一例であって、図８に示す以外のパターンも可能である。例えば分割線は、直線に限らず、円弧のような曲線であっても良い。
【００６９】
（パターンＩＶＴ４）
図８Ａに示すパターンＩＶＴ４は、４個の領域を有する例である。すなわち、ラジアル方向の外側の領域Ａ（＝Ａ１＋Ａ２）と、中央部の領域Ｃと、タンジェンシャル方向の上部の領域Ｅ（Ｅ１＋Ｅ２＋Ｅ３）と、下部の領域Ｆ（Ｆ１＋Ｆ２＋Ｆ３）とにビームが分割される。各領域と対応する検出信号が得られる。ここで、ラジアル方向の領域分割位置は、瞳半径を1.0としたときに、±0.5、±0.7となる位置とした。タンジェンシャル方向
の領域分割位置 は、瞳半径を1.0としたときに、±0.45、±0.65となる位置とした。
【００７０】
このＩＶＴ４の分割パターンに対応した４チャンネルの信号を、上記の領域Ａ，Ｃ，Ｅ，Ｆにそれぞれ対応した４つの受光セルからの出力をもとに生成してもよいし、領域Ａ１，Ａ２，Ｃ，Ｅ，Ｆの５つの領域に対応した５つの受光セルからの出力をもとに、マトリクス回路を用いて４チャンネルの信号を生成してもよい。後者のマトリクス回路を用いて５つの信号から４チャンネルを生成する構成の場合には、同一の分割を基本形として、下記のような種々の分割パターンが実現可能である。
ＩＶＴ４：Ｃｈ１＝Ａ１＋Ａ２、Ｃｈ２＝Ｃ、Ｃｈ３＝Ｅ、Ｃｈ４＝Ｆ
ＩＶＲ４：Ｃｈ１＝Ｅ＋Ｆ、Ｃｈ２＝Ｃ、Ｃｈ３＝Ａ１、Ｃｈ４＝Ａ２
ＩＶｉ４：Ｃｈ１＝Ｅ、Ｃｈ２＝Ｃ＋Ｆ、Ｃｈ３＝Ａ１、Ｃｈ４＝Ａ２
【００７１】
（パターンＩＶＴ４Ｈ）
図８Ｂに示すパターンは、ＩＶＴ４の光学フィルタ構成を踏襲しつつ、より高線密度での特性がよくなるように、各領域の形状と配置を変更したものである。
（パターンＩＶ３）
図８Ｃに示すパターンは、ＩＶＴ４の外側のチャンネル（Ｅ及びＦ）を一つのチャンネルＥにまとめたものである。
（パターンＩＶ３ｔｓ０．２）
図８Ｄに示すパターンＩＶ３ｔｓ０．２は、ＩＶ３をタンジェンシャル方向にシフト例えば光束半径の２０％シフトしたものである。
（パターンＨ３Ａ）
図８Ｅに示すパターンＨ３Ａは、ビームをタンジェンシャル方向に延長する２本の分割線によって、ラジアル方向に内側の領域Ｃと外側の領域Ａ（＝Ａ１＋Ａ２）に二つに分割し、さらにラジアル方向に延びる分割線によって、内側の領域の上下を区切り、タンジェンシャル方向の上下に領域Ｅ１及びＥ２を形成し、残りの中央の領域をＣとするものである。すなわち、領域Ｃ、領域（Ａ１＋Ａ２）、領域Ｅ（＝Ｅ１＋Ｅ２）の３個に分割するパターンである。３個の領域に対応する３チャンネルの信号が得られる。
【００７２】
（パターンＲ２及びＲ３）
パターンＲ２及びＲ３（図８Ｆ及び図８Ｇ）は、本開示の構成による効果を明確にするための比較用のパターンである。ビームをタンジェンシャル方向に延長する２本の分割線によって、ラジアル方向に二つに分割するパターンＲ２と、ラジアル方向に三つに分割するパターンＲ３を示す。パターンＲ２の場合は、領域Ａ１及びＡ２の受光信号に応じた電気信号は、加算されて１チャンネルの信号とされる。すなわち、内側チャンネル（領域Ｃ）と外側チャンネル（領域Ａ１＋Ａ２）の２チャンネル（Ｒ２）が形成される。パターンＲ３の場合では、内側チャンネル（領域Ｃ）と外側チャンネル（領域Ａ，Ｄ）の３チャンネルの信号が得られる。ここで、ラジアル方向の領域分割位置は、瞳半径を１．０としたときに、±０．５５となる位置とした。加えて、パターンＲ２／Ｒ３及びパターンＨ３Ａの分割をもとに、特許文献２及び３の技術とＰＲＭＬ検出方式を組み合わせた場合の特性比較を行った結果も後述する。
【００７３】
「各パターンについてのシミュレーション結果」
図９は、図８に示される６個のパターンについてのシミュレーション結果を示す。以下のシミュレーションにおいても同様であるが、信号指標値としてe-MLSEを使用する。ＢＤＸＬ（登録商標）に比してより記録密度を高くした場合には、エラーを引き起こしやすいデータパターンが異なってくる。その結果、従来の信号指標値であるｉ−ＭＬＳＥの誤差が問題となってくる。そこで、より高い線密度での信号指標値の精度改善のために必要となる、新たなデータパターンを追加した、ｉ−ＭＬＳＥとは別の信号評価値を効果の説明のために用いている。以下、精度が改善された新たな指標値をe-MLSEと呼ぶ。
【００７４】
e-MLSEにおいて追加されたデータパターンは以下の３種となる。
パターン列の１が記されているビットが、検出パターンに対し、誤りパターンでビット反転が起こる箇所を示している。
【００７５】
追加パターン（１）：１０１１１１０１
追加パターン（２）：１０１１１１０１１１１０１
追加パターン（３）：１０１１１１００１１１１０１
【００７６】
ちなみに、ｉ−ＭＬＳＥの精度が十分な従来のＢＤＸＬ（登録商標）と同等の線密度ではe-MLSEとｉ−ＭＬＳＥは、ほぼ一致し、より高い線密度において誤差改善の分の差分が現れる。実用で重要となるエラーレートに対する指標値の理論上の相関関係は両者で同一となっている。したがって、演算上の違い、適用線密度の範囲の違いはあるものの、両者の示す信号品質の評価値は同じ感覚でとらえて構わない。なお、本開示においては、e-MLSE以外の指標を使用しても良い。線密度が高くなった場合にエラーを引き起こしやすいデータパターンが異なることによるe-MLSEとｉ−ＭＬＳＥとの差については後程補足する。
【００７７】
以下、それぞれのパターンに対するシミュレーション結果に基づき説明を行う。シミュレーション条件は以下の通りである。
Tp=0.225μm(ランド、グルーブのそれぞれが）  NA=0.85
PR(1233321)  評価指標：e-MLSE      グルーブ深さ  （１／１５）λ
マーク幅=Tp＊0.7    Disc Noise, Amp Noiseあり
タップ  １Ｔ間隔３１タップ
摂動原点（デフォーカスやディスクスキュー等が全て原点の状態）
【００７８】
また、線密度は直径が１２０mmディスクでトラックピッチＴｐ＝0.32μmのときの面容
量を用 いてＬＤ（Ｔｐ＝0.32μmのときの面容量）のように表すこととする。
【００７９】
図９のシミュレーション結果において、e-MLSEと表すグラフは、領域分割を行わない場合の結果である。図９から分かるように、本開示の構成を用いないＲ３はＬＤ３５ＧＢで既にe-MLSEが十分に下がりきっていない。ちなみに、摂動原点においては、Ｒ２とＲ３はほぼ同等な特性となる。Ｈ３Ａ及びＩＶ３はＬＤ３５ＧＢではe-MLSEが低減できているが、タンジェンシャル方向に中心位置の異なるチャンネルを持たないために、高線密度化による劣化が大きい。また、光学フィルタ形状がより最適なＩＶ３に比べてＨ３ＡはＬＤ３５ＧＢにおいてもe-MLSEがやや高めになっており、線密度が高くなるとその差が拡大している。
【００８０】
ＩＶ３のパターンをタンジェンシャル方向にシフトしたパターンＩＶ３ｔｓ０．２は、タンジェンシャル方向の外側チャンネルと中央チャンネルを重心で考えた場合に中心位置に差をつけることができるため、高線密度化による劣化を少し抑えることが可能である。
【００８１】
タンジェンシャル方向に中心位置の異なるチャンネルをもつＩＶＴ４は、ＬＤ３５ＧＢでのe-MLSEが十分に低減できているのに加えて、ラジアル及びタンジェンシャル方向の分割位置が同一なＩＶ３に対して、線密度方向にＬＤ３ＧＢ相当の高線密度化効果があることが分かる。
高線密度化した際の特性を優先して光学フィルタ形状を最適化したＩＶＴ４Ｈは、ＩＶＴ４に対して、さらにＬＤ１ＧＢ相当の高線密度化効果が得られている。
【００８２】
ここで、本開示の構成Ａ〜Ｅ及び、比較用の構成Ｆ、Ｇに加えて、特許文献２及び３の技術とＰＲＭＬ検出方式を組み合わせた場合の特性も比較することにする。
特許文献２及び３には、比較用の構成（図８Ｆ、図８Ｇ）に類似するラジアル方向に領域を３分割した信号に対して、内側の領域の信号に定数倍（重み付け）して加算することによってクロストークをキャンセルする技術が記載されている。しかし、いずれも本開示にあるような最短マークが光学系のカットオフ空間周波数を超えるような高線密度記録における信号特性改善に関しては記載されていない。そこで、ＰＲＭＬ検出方式を組み合わせて用いた場合を想定し、定数倍加算演算後の信号を、本開示の構成と同様に１Ｔ間隔３１タップで構成されるＦＩＲフィルタ及びＰＲ（１，２，３，３，３，２，１）の系で、ＬＤ３５ＧＢ，ＬＤ３９ＧＢ，ＬＤ４３ＧＢに対してシミュレーションを行った結果を図１０に示す。ＬＤ３５ＧＢでは重み付け係数を０．２にしたときに上述のパターンＲ３と同等程度まではe-MLSEが改善していることが分かるが、ＬＤ３９ＧＢではe-MLSEの改善効果が著しく減少し、ＬＤ４３ＧＢではほとんど改善効果がないことが分かる。
【００８３】
さらに、特許文献２において、「ビーム進行方向にも重み付けをすることで小さい記録マークの再生信号を強調して再生することができる」ということがアイデアとして示唆されているため、e-MLSE改善効果が減少してしまっているＬＤ３９ＧＢの場合に、Ｈ３Ａ相当の位置で中央の領域をさらに分割して、タンジェンシャル方向の外側と内側で２倍の重み付けをさらにしてみた結果がＬＤ３９ＧＢであるが、示唆されるような高線密度化効果はほとんどみられない。
【００８４】
これらの特許文献２及び３の技術とＰＲＭＬ検出方式を組み合わせ、さらに線密度によって重み付け係数を変化させた応用例による結果を図９のグラフに重ねてプロットしたものが図１１である。本開示の構成のＬＤ３５ＧＢにおけるボトム特性の優位性及び、高線密度化した際のＩＶＴ４，ＩＶＴ４Ｈの更なる優位性が明瞭に表れている。
【００８５】
以下、それぞれのパターンについて、電気光学フィルタ特性の構成の違いをもとに、特性に差が生まれるメカニズムを示す。
「特許文献２及び３＋ＰＲＭＬの構成及びパターンＲ２における電気フィルタ特性」
本開示に対する比較例として、上記の特許文献応用例の構成におけるＦＩＲフィルタ及び、パターンＲ２におけるＦＩＲフィルタの、ＬＤ３５ＧＢの場合のシミュレーション結果におけるタップ係数及びそれに対応する電気フィルタとしての周波数振幅特性を図１２に示す。パターンＲ２の場合の特性Ｌ１は、外側の領域Ａに対応するチャンネルの周波数振幅特性であり、特性Ｌ２は、内側の領域Ｃに対応するチャンネルの周波数振幅特性である。
【００８６】
周波数振幅特性において、横軸は、ｎ／（２５６Ｔ）（ｎ：横軸の値）である。例えば（ｎ＝６４）の場合には、（６４／２５６Ｔ）＝（１／４Ｔ）となる。例えばＲＬＬ（１，７）ＰＰ変調方式を使用した場合、チャネルクロック周期を「Ｔ」とすると、マーク長は２Ｔから８Ｔとなる。（１／４Ｔ）は、２Ｔのマークが繰り返す場合の周波数である。ＬＤ３５ＧＢにおいては、２Ｔのマークは空間光学的カットオフ周波数を超えるため、再生できない周波数領域となっており、３Ｔのマークが再生できる特性となっている。
【００８７】
図１１におけるＬＤ３５ＧＢでのe-MLSEが同等であることから分かる通り、タップ係数の形状、周波数振幅特性ともに、大きな差異はなく、ＬＤ３５ＧＢ（摂動原点）においては、特許文献応用例の構成でも、パターンＲ２の各チャンネルにそれぞれ独立な電気フィルタをつなぐ構成としても、ほぼ同等な特性となっており、Ｒ２やＲ３のようなパターンの場合は、それぞれ独立な電気フィルタを設けることによって得られる更なる効果は限られたものとなる。
【００８８】
「パターンＨ３Ａにおける適応型電気光学フィルタ特性」
パターンＨ３Ａでは、ラジアル方向に加えてタンジェンシャル方向にさらに領域分割を行い、空間光学的に線密度方向及びトラック密度方向に帯域の異なる信号に対応した３つの領域に分割し、それぞれの領域の信号から形成された３チャンネルの信号を、それぞれ周波数及び位相特性を異ならせた電気フィルタを通した上で加算することによって、ラジアル方向のみの分割を用いた構成に比較して再生性能をより高くすることができる。
【００８９】
パターンＨ３Ａ（図８参照）のＬＤ３５ＧＢの場合の適応型電気光学フィルタ特性を図１３に示す。周波数振幅特性において、横軸は、ｎ／（２５６Ｔ）（ｎ：横軸の値）である。例えば（ｎ＝６４）の場合には、（６４／２５６Ｔ）＝（１／４Ｔ）となる。例えばＲＬＬ（１，７）ＰＰ変調方式を使用した場合、チャネルクロック周期を「Ｔ」とすると、マーク長は２Ｔから８Ｔとなる。（１／４Ｔ）は、２Ｔのマークが繰り返す場合の周波数である。特性Ｌ１は、ラジアル方向外側の領域Ａに対応するチャンネルの周波数振幅特性であり、特性Ｌ２は、タンジェンシャル方向外側の領域Ｅに対応するチャンネルの周波数振幅特性であり、特性Ｌ３は、中央の領域Ｃに対応するチャンネルの周波数振幅特性である。なお、特性は、摂動原点での特性例である。
【００９０】
図１４Ａは、パターンＨ３Ａの各チャンネルのタップ係数を示す。例えばＦＩＲフィルタのタップ数が３１タップとされている。図１４Ｂは、各チャンネルの周波数位相特性を示す。周波数位相特性は、３チャンネルの内の２チャンネル間の位相差を表している。特性Ｌ１１は、タンジェンシャル方向外側の領域Ｅと、ラジアル方向外側の領域Ａとにそれぞれ対応するチャンネルの再生情報信号間の位相差である。特性Ｌ１２は、中央の領域Ｃと、ラジアル方向外側の領域Ａとにそれぞれ対応するチャンネルの再生情報信号間の位相差である。特性Ｌ１３は、タンジェンシャル方向外側の領域Ｅと、中央の領域Ｃとにそれぞれ対応するチャンネルの再生情報信号間の位相差である。
【００９１】
上述したように、Ｈ３Ａのフィルタ特性は、下記のような特徴を有する。
３チャネルの各領域ごとに、振幅、位相ともに大きく異なる周波数特性をもつフィルタを構成し、良好な再生信号再生を実現することができる。
３Ｔ信号に相当する周波数帯（破線で囲んで示す横軸の値４３の近傍）では、中央領域と、タンジェンシャル方向外側の領域Ｅ及びラジアル方向外側の領域Ａとで位相を１８０degずらしている。
中央領域は４Ｔ信号に相当する周波数帯（横軸の値３２の近傍）を遮断する特性とし、クロストークによる偽信号を抑制している。
タンジェンシャル方向外側は、短マーク再生に寄与すべきであり、８Ｔ信号に相当する周波数帯（横軸の値１６の近傍）を遮断するとともに、８Ｔ信号よりも低い周波数帯域においては、中央領域Ｃ及びラジアル方向外側の領域Ａとタンジェンシャル方向外側の領域Ｅとで位相を１８０degずらしている。
このように、領域ごとに、ハイパスフィルタ、ローパスフィルタ、バンドパスフィルタ、バンドストップ（又はノッチ）フィルタ等を構成し、光学だけでも電気だけでも実現しえないフィルタ特性を実現している。
【００９２】
なお、本明細書の説明は、適応イコライザユニット（ＦＩＲフィルタ）のタップ係数が適応的に制御するものとしている。しかしながら、シミュレーションの結果、最良なタップ係数が求められた場合、そのタップ係数を固定したイコライザユニットを使用することや、同等の特性を有するＦＩＲフィルタ以外のアナログフィルタ、デジタルフィルタを使用することも可能である。性能面では適応型が優れるが、タップ係数の適応的制御を行わないので良いので、処理及びハードウェアを簡略化することができる。また、複数チャネルのうち、一部のチャネルに固定タイプのイコライザユニットを使用し、その他のチャネルには適応型のイコライザユニットを使用するようにすることも可能である。
【００９３】
「パターンＩＶＴ４に最適な電気フィルタ」
図１１から分かるように、ＩＶＴ４はＬＤ３５ＧＢにおけるe-MLSE特性も非常に良好であるとともに、高線密度化した場合にも、タンジェンシャル方向の中心位置が異なるチャネルをもたないパターンＲ３及びＨ３Ａ、ＩＶ３に比べて、e-MLSEが良好な状態を保つことができている。
【００９４】
ＩＶＴ４に最適な電気フィルタについて説明する。まずＬＤ３５ＧＢの場合の、各領域と対応する各チャンネルのタップ係数（ここではＦＩＲフィルタのタップ数を３１タップとしている）を図１６Ａに示し、周波数振幅特性は、図１５に示し、周波数位相特性は図１６Ｂに示す。周波数位相特性は、タンジェンシャル方向外側の領域Ｅに対応するチャンネルと、タンジェンシャル方向外側の領域Ｆに対応するチャンネル間の位相差を表している。
【００９５】
図１５及び図１６に示すＩＶＴ４のフィルタ特性は、下記のような特徴を有する。
パターンＨ３Ａと同様に、中央領域はローパス的特性に、タンジェンシャル方向外側領域はハイパス的特性となっている（ここでいうハイパス的とは、信号再生に寄与している周波数帯域内で、より短いマークに対応する帯域を通すバンドパス特性を、相対的にハイパス的と表現している）。
【００９６】
さらに、パターンＩＶＴ４では、タンジェンシャル方向の外側領域が独立に２チャネルとなっており、その２領域が３Ｔ、４Ｔ相当の周波数帯（横軸の４３、３２の値の近傍）で１２０〜９０deg 程度の位相差となるようなフィルタを構成している（タップ係数を見ても分かるように、２クロック分程度）。これにより、単純な総和信号による再生振幅に対して、短マークに関して、より感度の高い検出が可能となっている。短マーク再生に関して、領域間の位相差も活用することで、良好な再生信号特性を実現するとともに、より高線密度化した際の良好な特性にも寄与している。
【００９７】
４Ｔ（横軸の値３２の近傍）、３Ｔ（横軸の値４３の近傍）に対応する帯域において、その帯域の信号成分をほとんど含まない領域Ｃはローパスフィルタ特性でその領域に存在するクロストーク成分及び他のノイズ成分を抑圧し、さらにＥ、Ｆの位相差によってクロストーク成分を低減し、それでも残留するクロストーク成分をＣとの周波数振幅特性のバランスによってキャンセルする構成となっている。その結果、Ｅ，Ｆ及びＡの周波数振幅特性も必要以上に持ち上げる必要がなく、それも良好な再生信号特性の実現につながっている。
【００９８】
高線密度化にとっては、ＰＲＭＬの拘束長を長くすることが効果的である。例えば拘束長９とした例として、ＰＲ（１、２、３、４、４、４、３、２、１）とした場合のシミュレーション結果を図１７に示す。
シミュレーション条件は以下の通りである。
Tp=0.225μm(ランド、グルーブのそれぞれが）  NA=0.85
PR(123444321)  評価指標：e-MLSE    グルーブ深さ（１／１５）λ
マーク幅=Tp＊0.7    DiscNoise,AmpNoiseあり
タップ  １Ｔ間隔３１タップ
摂動原点（デフォーカスやディスクスキュー等が全て原点の状態）
【００９９】
また、線密度はＰＲ（１，２，３，３，３，２，１）を用いた場合と同様、直径が１２０mmディスクでトラックピッチＴｐ＝0.32μmのときの面容量を用いてＬＤ（Ｔｐ＝0.32
μmのときの面容量）のように表すこととする。
【０１００】
図１７のシミュレーション結果において、e-MLSEと表すグラフは、領域分割を行わない場合の結果である。図１７から分かるように、ＰＲ（１，２，３，３，３，２，１）の場合と同様、タンジェンシャル方向に中心位置の異なるチャンネルを持たないＩＶ３は、高線密度化による劣化が大きい。タンジェンシャル方向に中心位置の異なるチャンネルをもつＩＶＴ４は、ラジアル及びタンジェンシャル方向の分割位置が同一なＩＶ３に対して、線密度方向にやはりＬＤ３ＧＢ相当の高線密度化効果があることが分かる。
【０１０１】
高線密度化した際の特性を優先して光学フィルタ形状を最適化したＩＶＴ４Ｈが、ＩＶＴ４に対して、さらにＬＤ１ＧＢ相当の高線密度化効果がやはり得られることも確認できる。
【０１０２】
上述したように、チャンネルビット長、すなわち、マーク長を短くし、線密度方向に高密度化をはかり、また、トラックピッチを狭くすることによりトラック密度方向に高密度化をはかることにより、光ディスクの高密度化を実現する場合、信号記録面上には、２次元的に記録マークが配置されることになる。
【０１０３】
光ディスクにおける再生信号は、記録マーク及びグルーブ等の周期構造によって発生する回折光が重なり干渉することによって起きる明暗の変化を検出している。周期ｐの周期構造による±１次回折光は、図１８Ａに示すように、瞳半径を１とした場合に、中心のシフト量は  λ／（ＮＡ＊ｐ）  であらわされ、その重なりが大きいほど再生信号の振幅が大きくなり、重なりが小さいほど振幅は小さくなる。重なりがなくなる、すなわち、シフト量がλ／（ＮＡ＊ｐ）＝２となるとき、振幅はゼロとなる。その結果、MTF(ModulationTransferFunction:振幅伝達関数)  の空間周波数特性は、図１８Ｂのようになる。カットオフ空間周波数は、λ／（ＮＡ＊ｐ）＝２  より、  １／ｐ＝２ＮＡ／λ  となり、これよりも小さい周期構造が連続した場合、振幅はゼロとなる。
【０１０４】
これを上述したような、波長405nm、NA=0.85の系に適用すると、１／ｐ＝２ＮＡ／λより、ｐ＝λ／（２ＮＡ）＝２３８ｎｍが再生可能な最小の周期構造となる。これはすなわち、低線密度の例 としてあげた、ＲＬＬ（１，７）ＰＰで53nm/channelbitの系（ＬＤ３５．２ＧＢ）においては 、最短２Ｔマーク／スペースは53nm＊２＊２＝212nmとなるためカットオフ空間周波数を超え、２Ｔマーク／スペースの連続は振幅ゼロとなることを意味している。３Ｔマーク／スペース 53nm＊３＊２＝318nmに相当する周期構造に対しては、シフト量  λ／（ＮＡ＊ｐ）＝１．５０となるため、図１８Ｃの０次光と±１次光が重なっている領域が信号再生に寄与することとなる。少し高線密度化されLD41ＧＢ  45.47nm
／channelbitの系になると、最短２Ｔマーク／スペースは45.47nm＊２＊２＝182nmとなるためカットオフ空間周波数を超え、３Ｔマーク／スペース45.47nm＊３＊２＝273nmに相当する周期構造に対しては、シフト量  λ／（ＮＡ＊ｐ）＝１．７５となるため、図１８Ｄの０次光と±１次光が重なっている領域が信号再生に寄与することとなる。ＰＲＭＬにより、２Ｔマーク／スペースの振幅がゼロとなるような密度でも、信号処理が破たんすることはないが、短マークの再生品質は重要な要素である。
【０１０５】
上述したように、パターンＨ３Ａ及びＩＶＴ４の電気光学フィルタ特性において、タンジェンシャル方向の外側の領域は、３Ｔや４Ｔ等の短いマークに対応する周波数帯域をハイバンドパスするフィルタとなっており、中央領域は５Ｔ以上の長いマークに対応する周波数帯域を多く通すようなローパス的なフィルタとなっている。図１８Ｃ，図１８Ｄとの対比からも分かるように、これは、空間光学的に短いマークに対応する帯域の再生に、より多く寄与すべき領域と、長いマークに対応する帯域の再生に、より多く寄与すべき領域とを効果的に分離し、さらにそれぞれの領域において、自トラックの再生信号成分の比率が高いはずの周波数成分を強調し、隣接トラックの再生信号成分の比率が高いはずの周波数成分は抑圧、遮断もしくは他の信号とバランスさせて相殺することで、自トラックの再生信号品質を高めることを実現していることを意味する。さらにＩＶＴ４の場合には、タンジェンシャル方向の外側の２つの領域からの信号に位相差をもたせることによって、単純な総和信号による再生振幅に対して、短マークに関して、より感度の高い検出を可能としているが、図１８Ｃと図１８Ｄの比較からも分かるように、高線密度化していくと、２Ｔマーク／スペースのみならず、３Ｔマーク／スペースの再生に寄与しうる領域も小さくなってしまうことから、単純な総和信号による再生では大きく不利な状況になるところを、位相差検出による高感度化によって特性劣化を抑えていることが分かる。
【０１０６】
このように、空間光学的に線密度方向及びトラック密度方向に帯域の異なる複数の信号に分離するために、タンジェンシャル方向及びラジアル方向に領域分割し、それぞれの領域からの信号に、ハイパスフィルタ、ローパスフィルタ、バンドパスフィルタ、バンドストップ  （又はノッチ）フィルタ等々、それぞれに最適な別々の特性を有する電気フィルタを作用させ、そののちに再び信号を合算することによって、符号間干渉及び隣接トラックからの信号の漏れこみが低減された良好な再生信号を得ることが可能となる。
【０１０７】
単純にタンジェンシャル方向及びラジアル方向に領域分割するのではなく、ＩＶＴ４やＩＶＴ４Ｈのように、空間光学的に帯域の異なる領域の信号を効果的に分離するフィルタを構成すると、摂動中心位置におけるe-MLSEを良好にするとともに、ラジアルコマ収差マージンをはじめとする各種マージンを拡大することが可能となる。図１８Ｅ中で＊を付した、短マーク再生に対応する、トラック構造による回折光としては０次光の領域の信号だけでなく、トラック構造による±１次回折光との干渉領域（○を付して示す）の領域の信号を分離することが有効である。
【０１０８】
上述した図１４及び図１６の特性に示すように、ラジアル方向の外側の領域（Ａ１，Ａ２）は、幅広い帯域にわたって高いゲインとされているので、ノイズに対して敏感である。さらに、タンジェンシャル方向の外側のチャンネルを持つことは、高線密度化にとって有利である。
【０１０９】
「アンプノイズの影響」
図１９は、アンプノイズに代表されるランダムノイズの影響を示すだめのシミュレーション結果である。図１９では、ＰＲ（１２３３３２１）のＰＲＭＬを使用している。ＩＶＴ４及びＩＶＴ４Ｈについてのシミュレーション結果が示されている。ＩＶＴ４（Ｎａ＋０）とＩＶＴ４  （Ｎａ＋３ｄＢ）の関係は、アンプノイズに代表されるランダムノイズが３ｄＢ増大した場合を意味している。ＩＶＴ４Ｈ（Ｎａ＋０）とＩＶＴ４Ｈ（Ｎａ＋３ｄＢ）も同様の意味である。
【０１１０】
図１９から分かるように、ラジアル方向の外側チャンネルの面積（光量）が大きいこと、並びにタンジェンシャル方向の外側チャンネルの面積（光量）が大きいことは、アンプノイズに代表されるランダムノイズの増大（もしくは信号光量が低下して相対的にアンプノイズに代表されるランダムノイズが増大した場合も同様）に対しても効果的である。
【０１１１】
図２０は、アンプノイズに代表されるランダムノイズの影響を示すだめのシミュレーション結果である。図２０では、ＰＲ（１２３４４４３２１）のＰＲＭＬを使用している。ＩＶＴ４及びＩＶＴ４Ｈについてのシミュレーション結果が示されている。この場合も上述と同様のことが示されている。
【０１１２】
図２１Ａは、アンプノイズに代表されるランダムノイズの影響を示すだめのシミュレーション結果である。図２１Ａでは、ＰＲ（１２３４４４３２１）のＰＲＭＬを使用している。ＩＶＴ４（図２１Ｂに示す）についてのシミュレーション結果が示されている。ここでは、さらに簡単のため、アンプノイズ以外のランダムノイズが十分に小さく、ランダムノイズとしてはアンプノイズが支配的と仮定した場合の影響を示している。
【０１１３】
図２１Ａにおいて、（Ｒ  ２ａｍｐ）は、ラジアル方向の外側のチャンネルＡ１及びＡ２をそれぞれ別のディテクタで受光し、ＩＶアンプを経て加算された場合を示している。２個のＩＶアンプを使用するので、アンプノイズが増大する。（Ｔ  ２ａｍｐ）は、タンジェンシャル方向の片側のチャンネルＥ又はＦが２個のアンプを使用する場合を示し、（Ｃ  ２ａｍｐ）は、中央のチャンネルが２個のアンプを使用する場合を示す。（Ｎａ＋３ｄＢ）は、４チャンネルの全てが２個のアンプを使用する場合を示す。
【０１１４】
図２２は、アンプノイズの影響を示すためのシミュレーション結果である。図２２Ａでは、ＰＲ（１２３４４４３２１）のＰＲＭＬを使用している。ＩＶＴ４Ｈ（図２２Ｂに示す）についてのシミュレーション結果が示されている。図２２Ａにおいて、（Ｒ  ２ａｍｐ）、（Ｔ  ２ａｍｐ）、（Ｃ  ２ａｍｐ）、（Ｎａ＋３ｄＢ）のそれぞれの意味は、図２１Ａと同様である。
【０１１５】
上記の場合から分かるように、アンプノイズの増大もしくは信号量の低下によって、e-MLSEの値は1〜2％（0.01〜0.02）劣化してしまうため、アンプノイズの低減及び、記録信号を劣化させない範囲での十分な再生パワーの確保、十分な信号量を確保できるディスクの反射率設計は重要となる。
【０１１６】
「最適なＰＲクラス」
上記においては、簡単のため、ＬＤ３５ＧＢ〜ＬＤ４５ＧＢの線密度範囲を拘束長７のＰＲ  （１，２，３，３，３，２，１）に、ＬＤ３９ＧＢ〜ＬＤ５５ＧＢの線密度範囲を拘束長９のＰＲ（１，２，３，４，４，４，３，２，１）に固定してシミュレーションした結果を示した。
しかしながら、実際には、光学フィルタ形状、とくにタンジェンシャル方向に中心位置の異なる複数の領域に対応するチャンネルを持つか否かであるとか、信号記録密度、とくに線密度方向の密度がどの程度であるかによって、最適なＰＲクラスは異なってくる。
【０１１７】
ＰＲクラスとしては様々なものが考えられる。本開示で想定している光学フィルタ及び信号記録密度に対して有効と考えられる様々なＰＲクラスに対して、その適応等化目標の周波数特性を電気フィルタと同様に横軸n/(256T)で図２３に示す。それぞれのＰＲクラスの特性を特徴づける指標値として、横軸３２すなわち、４Ｔマーク／スペースに対応する周波数における等化目標（ターゲットレベル）の値ＰＲ−ＴＬ（４Ｔ）を用いることが有効である。高線密度化すると、空間光学的なカットオフ周波数が横軸方向で左にシフトしていくため、最適なＰＲクラスに対応するＰＲ−ＴＬ（４Ｔ）は小さくなっていく。
【０１１８】
実際に片面３層構造のディスクを作成し、複数の信号記録密度で記録したものに対して、タンジェンシャル方向に中心位置の異なる複数の領域に対応するチャンネルを持つ光学フィルタを有する構成、持たない光学フィルタを有する構成を用いて信号再生を行った結果を以下に示す。
【０１１９】
実験条件は以下の通りである。
ディスク
記録面が片面３層構造
Tp=0.225μm(ランド、グルーブのそれぞれが）
グルーブ深さ  約（１／１６）λ
信号記録密度  LD35.18ＧＢ(53nm/channelbit)   50.0ＧＢ/層、両面6層で300ＧＢ相当
LD41.1ＧＢ(45.4nm/channelbit)  58.5ＧＢ/層、両面6層で351ＧＢ相当
LD47.0ＧＢ(39.7nm/channelbit)  66.8ＧＢ/層、両面6層で401ＧＢ相当
となるようにランドグルーブ双方にマルチトラック記録
再生光学系
NA=0.85       波長405nm
【０１２０】
光学フィルタ
図２４に記載の２種類
ＶＨＴ４：タンジェンシャル方向に中心位置の異なる３つの領域Ｃ，Ｅ，Ｆに対応する３チャンネル及びラジアル方向外側の領域Ａ（Ａ１＋Ａ２）に対応する１チャンネルの計４チャンネルの信号が得られる。上述のＩＶＴ４に非常に近い特性を有する光学フィルタである。タンジェンシャル方向に中心位置の異なる複数の領域をもつタイプ「Ｔ型」の代表例とする。
ＪＲ４：タンジェンシャル方向に中心位置の異なる複数の領域に対応するチャンネルを持たない。ラジアル方向に中心位置の異なる３つの領域Ｃ，Ｅ，Ｄに対応する３チャンネル及びタンジェンシャル方向外側の領域（Ａ＋Ｂ）に対応する１チャンネルの計４チャンネルの信号が得られる。ラジアル方向に中心位置の異なる複数の領域をもつタイプ「Ｒ型」の代表例とする。
【０１２１】
適応イコライザ
タップ  ２Ｔ間隔２５タップ（４９Ｔ幅）
タップ初期値あり（図２５に一例を示す）
ＰＲクラス
表１に記載のPR(1,2,3,3,3,2,1)及びPR(1,2,3,4,4,4,3,2,1)を含む、
ＰＲ−ＴＬ（４Ｔ）＝０．１２８〜０．４７１の範囲のもの
評価指標
e-MLSE
【０１２２】
【表１】
2016149172.tif 000005
【０１２３】
図２６にLD35.18ＧＢ(53nm/channelbit)   50.0ＧＢ/層、両面6層で300ＧＢ相当の場合における実験結果を示している。
図２７にLD41.1ＧＢ(45.4nm/channelbit)  58.5ＧＢ/層、両面6層で351ＧＢ相当の場合における実験結果を示している。
図２８にLD47.0ＧＢ(39.7nm/channelbit)  66.8ＧＢ/層、両面6層で401ＧＢ相当の場合における実験結果を示している。
横軸は再生に用いたＰＲクラスの４Ｔマーク／スペースに対応する周波数における等化目標値ＰＲ−ＴＬ（４Ｔ）であり、縦軸はそのときの十分に広い区間におけるe-MLSEの平均値を示している（パーセント表記）。
Ｔ型と表記しているものはＶＨＴ４を用いた場合、Ｒ型と表記しているものはＪＲ４を用いた場合に対応しており、（Ｇ）はランドグルーブ双方記録したエリアにおけるグルーブ再生時、（Ｌ）はランド再生時を示している。
【０１２４】
図２６及び表１から分かるように、LD35.18ＧＢにおいては、Ｒ型のＪＲ４の場合、ラ
ンド、グルーブともにPR(1,1,2,2,2,1,1)に近いＰＲ−ＴＬ（４Ｔ）が０．３２５〜０．
３３において最良となっており、Ｔ型のＶＨＴ４の場合は、ランド、グルーブともにＰＲ−ＴＬ（４Ｔ）が０．４１以上でe-MLSE特性がほぼフラットとなっている。このように、Ｒ型とＴ型とで最適なＰＲクラスは異なっていることが分かる。また、シミュレーションで用いていたＰＲ（1,2,3,3,3,2,1)を基準にすると、Ｒ型の最適ＰＲ−ＴＬ（４Ｔ）は小さい側に、Ｔ型の最適ＰＲ−ＴＬ（４Ｔ）は大きい側にあり、ＰＲ固定で比較するには妥当なＰＲクラスであったことも分かる。
【０１２５】
図２７及び表１から分かるように、LD41.1ＧＢにおいては、Ｒ型のＪＲ４のランドはPR(2,3,5,7,7,7,5,3,2)、グルーブはPR(4,7,11,15,17,15,11,7,4)あたりがe-MLSE最良とな
っており、Ｔ型のＶＨＴ４のランドはPR(2,6,8,11,14,11,8,6,2)、グルーブはPR(1,3,4,6,7,6,4,3,1)あたりがe-MLSE最良となっている。このように、Ｒ型とＴ型で最適なＰＲク
ラスが異なるのに加えて、ランドとグルーブでも最適なＰＲクラスは異なっている。
【０１２６】
図２８及び表１から分かるように、LD47.0ＧＢにおいては、Ｒ型のＪＲ４のランドはPR(7,9,14,18,19,18,14,9,7)、グルーブはPR(4,6,9,12,12,12,9,6,4)あたりがe-MLSE最良となっており、Ｔ型のＶＨＴ４はランド、グルーブともPR(6,9,15,19,20,19,15,9,6)あたりがe-MLSE最良となっている。ここでも実験に用いたPRクラスとしては最良なものが同じでも、ＰＲ−ＴＬ（４Ｔ）値という見方をするとランドとグルーブで差異があることが分かる。
【０１２７】
ここでも、高線密度条件でのシミュレーションで用いていたPR(1,2,3,4,4,4,3,2,1)を
基準にすると、LD41.1ＧＢでの最適ＰＲ−ＴＬ（４Ｔ）はＲ型、Ｔ型ともに大きい側に、LD47.0ＧＢでの最適ＰＲ−ＴＬ（４Ｔ）はＲ型、Ｔ型ともに小さい側にあり、ＰＲ固定で比較するには妥当なＰＲクラスであったことが分かる。
【０１２８】
Ｒ型、Ｔ型のランドとグルーブそれぞれの条件について、最適なＰＲ−ＴＬ（４Ｔ）と線密度との関係をプロットしたのが図２９である。e-MLSE最良となるＰＲ−ＴＬ（４Ｔ）が線密度と高い相関関係にあることから、Ｒ型とＴ型で最適ＰＲ−ＴＬ（４Ｔ）が同等となる線密度の関係をグラフから読み取ると、おおむねＬＤ３ＧＢ前後に相当しており、ＰＲを固定したシミュレーションにおいて確認していたＴ型の高線密度化効果と同等な効果が実験でも確認できることが分かる。
【０１２９】
複数のＰＲクラスから最適なＰＲクラスを選択する際には、対応するＰＲ−ＴＬ（４Ｔ）の値を基準に用いることが有効である。候補とする異なるＰＲ−ＴＬ（４Ｔ）に対応する複数のＰＲクラスに対して再生特性を確認し、ＰＲ−ＴＬ（４Ｔ）に対するマージンセンターに最も近いＰＲクラスを選択すればよい。
【０１３０】
図３０に最適なＰＲクラスを選んだ場合のe-MLSE及びi-MLSEと線密度との関係を示す。最適なＰＲクラスを選んで再生した場合、線密度とe-MLSEとの関係はＲ型、Ｔ型ともにほぼ同等な傾きで直線的に変化していることが分かる。また、LD35.18ＧＢではＲ型、Ｔ型
ともにe-MLSEとi-MLSEはほとんど同じ値となっているのに対して、高線密度化するにともなって、e-MLSEとi-MLSEの差が拡大していくことも分かる。これは先述したとおり、高線密度化した場合には、エラーを引き起こしやすいデータパターンが変化するため、そのパターンを追加しているe-MLSEと追加していないi-MLSEの差が拡大していることによる。
【０１３１】
上記に示した実験結果は先述のシミュレーション結果に比べて、e-MLSEがやや悪めになっている。これは、実験結果では、測定区間内の記録状態によって、e-MLSEが１％程度は変化することや、先述のアンプノイズ等のランダムノイズが片面３層構造の実験用ディスクの場合にシミュレーションより大きくなっていること、記録マークの違い等で充分に説明がつく差異である。
【０１３２】
ランダムノイズの影響度合いを把握するため、LD41.1ＧＢにおいて、Ｔ型のＶＨＴ４のグルーブに関して、再生パワーを１．４倍にした場合のe-MLSEを図２８に追加したものを図３１に示す。再生パワーを１．４倍にすることで、e-MLSEが１％近く改善していることが分かる。また、再生パワーによっても最適なＰＲクラス（ＰＲ−ＴＬ（４Ｔ））が若干変化している。
【０１３３】
「パターンの選択の一例」
図３２は、本開示の一実施の形態における分割パターンの一例を示す。Ａ１、Ａ２、Ｂ、Ｄ、Ｅ、Ｆでそれぞれ示す６個の領域に分割する。本開示では、タンジェンシャル方向に分離した第１の領域Ｅ及び第２の領域Ｆが形成される。そして、各領域を別々のディテクタによって受光し、ＩＶアンプを通した後に表２のように各チャンネルを演算する。
【０１３４】
【表２】
2016149172.tif 000006
【０１３５】
表２に示すように、図３２の分割パターンのそれぞれの領域の検出信号を、選択された組合せのパターン（以下、選択パターンと適宜称する）でもって組み合わせて下記のように、４個のチャンネルＣｈ１〜Ｃｈ４をそれぞれ形成する。選択パターンＩＶＴ４Ｍ、ＩＶＲ４Ｍ、ＩＶＬ４Ｍが形成される。例えば各チャンネルのディテクタの検出信号を表２にしたがって合成するようになされる。
【０１３６】
選択パターンＩＶＴ４Ｍ：Ｃｈ１＝Ａ１＋Ａ２、Ｃｈ２＝Ｂ＋Ｄ、Ｃｈ３＝Ｅ、Ｃｈ４＝Ｆ
選択パターンＩＶＲ４Ｍ：Ｃｈ１＝Ｅ＋Ｆ、Ｃｈ２＝Ｂ＋Ｄ、Ｃｈ３＝Ａ１、Ｃｈ４＝Ａ２
選択パターンＩＶＬ４Ｍ：Ｃｈ１＝Ｅ＋Ｆ、Ｃｈ２＝Ａ１＋Ａ２、Ｃｈ３＝Ｂ、Ｃｈ４＝Ｄ
ＩＶＴ４Ｍが先の実験結果における「Ｔ型」に、ＩＶＲ４Ｍが「Ｒ型」に相当する。
【０１３７】
「適応イコライザの実際の収束到達点」
表２に示す各選択パターンに関して、等化誤差が大きい状態からスタートし、適応イコライザが収束する経過のシミュレーション結果を図３３に示す。但し、アンプノイズ、ディスクノイズは付加しているが、ディフェクト等のバースト的なノイズは、付加していないため、経過チャンネルビット長の増加に伴い、e-MLSEの値は改善していく。比較例としてのパターンＪＲ４は、図２４に示すものである。図３３は、線密度がＬＤ35.18 ＧＢ（５０ＧＢ／Ｌ）で、ＰＲクラスがＰＲ（１２３３３２１）の場合のシミュレーション結果である。
【０１３８】
実機では、ディスクの基板、記録膜、記録信号品質等によって、グラフの横軸がどの段階まで到達できるかが変化すると考えられる。ディスク等の品質が良く、うまく収束できれば、ＩＶＴ４Ｍが最も特性が良好である。逆に、ディスク等の品質が悪く、収束を妨げるような信号の乱れが多い場合には、初期収束の早いＩＶＲ４Ｍが有利と言える。さらに、ＩＶＬ４Ｍは、収束性が悪いと言える。適切なタップ係数初期値を与えれば、ある程度の収束性の差は吸収できるが、ディスク等の品質が悪く、収束を妨げるような信号の乱れが多い場合には、収束性の差が平均的な特性の差に反映されることになる。
【０１３９】
図３４は、線密度及びＰＲクラスを変更した場合のシミュレーション結果を示す。図３４は、線密度が（ＬＤ４４ＧＢ（６２．５ＧＢ／Ｌ）で、ＰＲクラスがＰＲ（２３５７７７５３２）の場合のシミュレーション結果である。パターン毎の傾向は、低線密度の図２６と同様で、ラジアル方向の外側領域を別々のチャンネルとしているＩＶＲ４Ｍ（及びＪＲ４）、すなわちＲ型が収束性に優れている。
【０１４０】
但し、収束初期を除くと、ＩＶＴ４ＭすなわちＴ型の特性のよさがより顕著に表れており、線密度及びディスク等の品質によって、同一な分割パターンから実現可能なパターンの間でも、優位なパターンが入れ替わることが分かる。
【０１４１】
元の同一分割パターンから形成される複数のパターン（光学フィルタ）を、ＯＥＩＣ(Opto-Electronic Integrated Circuit)のモード切替等により切替可能にすることが、「さまざまな品質のディスクへの対応」、「異なる密度への対応」等に対して、非常に有効である。
【０１４２】
「パターンの選択の他の例」
図３５に示すパターンＩＶＮＳＴ６の分割をもとに、表３に示すような様々な光学フィルタを形成することができる。このＩＶＮＳＴ６はＩＶＴ４をもとに、ラジアル方向への空間光学的に帯域の異なる領域の分割数を増やすために、中央領域Ｂを、ラジアル方向にさらに３分割したものである。ここで、ラジアル方向の領域分割位置は、瞳半径を1.0 としたときに、±0.25、±0.5及び±0.7となる位置とし、タンジェンシャル方向の領域分割位置は、±0.45、±0.65となる位置とした。
【０１４３】
表３に示すように、４チャンネルの出力とする場合には、上述したＩＶＴ４に加え、ＩＶＴＳＭ４、ＩＶＳＰ４、ＩＶｏｓ４、及びＩＶＲ４（領域Ａが左右で別チャンネル）等のうち、少なくとも２つを切換可能な構成とすることが有効である。例えばＯＥＩＣで実現する場合、モード切替ピンに印加する電圧を、ハイレベル、ミッドレベル、ローレベルの３値として切替することが可能である。なお、４チャンネル出力に限らず、５チャンネル出力の場合も同様にＩＶＴＳＰ５とＩＶＮＳ５を切りかえる等が可能である。
【０１４４】
【表３】
2016149172.tif 000007
【０１４５】
「パターン選択の他の例」
パターン選択としては、下記の表４に示すものも可能である。
【０１４６】
【表４】
2016149172.tif 000008
【０１４７】
上述したパターン選択（表２）と比較すると、選択パターンＩＶＴ４Ｍ（ＳＤ）が追加されている。
選択パターンＩＶＴ４Ｍ（ＳＤ）：Ｃｈ１＝Ａ１＋Ａ２、Ｃｈ２＝Ｂ＋Ｄ、Ｃｈ３＝Ｅ＋Ｆ、Ｃｈ４＝Ｅ−Ｆ
すなわち、この選択パターンは、領域Ｅ及びＦの和（Ｅ＋Ｆ）と差（Ｅ−Ｆ）をそれぞれ形成して別々のチャンネルとして扱っている。
【０１４８】
「本開示の実施の形態」
上述したように、「適応型電気光学多機能フィルタ（ＡＥＲＯ(Adaptive ElectRo Optical)multi function filter)」は、再生特性を改善することができる。本開示は、かかる技術において、図７を参照して説明したように、適応等化の前段階で領域間の信号に関して演算を行うことによって、ディフェクト等の外乱の影響を低減し、より信号の品質を良好とするものである。本開示では、光束の分割数（領域数）と信号処理部に対する入力信号の個数（チャンネル数）とを等しいものとしている。この条件において、各領域からの信号を演算して信号処理部に対する入力信号を形成するものである。
【０１４９】
一例として、上述したパターンＶＨＴ４（図２４参照）を例に説明する。この場合では、４個の領域Ａ（＝Ａ１＋Ａ２）、領域Ｃ、領域Ｅ、領域Ｆから信号が得られる。そして、下記の表５で示すような線形演算によって、４チャンネルの信号を形成する。
【０１５０】
【表５】
2016149172.tif 000009
【０１５１】
表５に示される演算は、下記の種類のものである。
（ラジアル方向内外ブレンド和型：ラジアル方向の外側領域の信号と内側領域の信号を加算する。Ｋ１及びＫ２は、係数である。）
Ｃｈ１＝Ｋ１＊Ａ＋Ｋ２＊Ｃ
Ｃｈ２＝Ｃ（またはＡ）
Ｃｈ３＝Ｅ
Ｃｈ４＝Ｆ
ラジアル方向内外ブレンド和型の場合、適切な係数を選ぶことで低周波数領域の隣接トラッククロストークを自己相殺することができる。
【０１５２】
（ラジアル方向内外ブレンド差型：ラジアル方向の外側領域の信号と内側領域の信号を減算する。Ｋ３及びＫ４は、係数である。）
Ｃｈ１＝Ａ（またはＣ）
Ｃｈ２＝Ｋ３＊Ｃ−Ｋ４＊Ａ
Ｃｈ３＝Ｅ
Ｃｈ４＝Ｆ
差演算はレーザノイズ等の同位相ノイズを除去できるので、同位相ノイズが多い状態で再生特性改善効果がある。
差演算により『ディフェクト等の外乱』を緩和することができる。
【０１５３】
（ラジアル方向内外ブレンド和差型：ラジアル方向の外側領域の信号と内側領域の信号を加算及び減算する。Ｋ１〜Ｋ４は、係数である。）
Ｃｈ１＝Ｋ１＊Ａ＋Ｋ２＊Ｃ
Ｃｈ２＝Ｋ３＊Ｃ−Ｋ４＊Ａ
Ｃｈ３＝Ｅ
Ｃｈ４＝Ｆ
和型、差型の特徴をあわせもつ。
【０１５４】
タンジェンシャル方向の領域Ｅ及びＦに関しても、ラジアル方向と同様に、下記の表６で示すような線形演算によって、４チャンネルの信号を形成することができる。
【０１５５】
【表６】
2016149172.tif 000010
【０１５６】
表６に示される演算は、下記の種類のものである。
（タンジェンシャル方向和差型：タンジェンシャル方向の領域Ｅ及びＦの和及び差を形成する。Ｋ５及びＫ６は、係数である。）
Ｃｈ１＝Ａ
Ｃｈ２＝Ｃ
Ｃｈ３＝Ｅ＋Ｆ
Ｃｈ４＝Ｅ−Ｆ
タンジェンシャル方向和差型は、マーク位相の状態を検出する精度が高い。
差のチャンネルＣｈ４は、レーザノイズ等の同位相ノイズが除去できるため、同位相ノイズが多い状態で、再生特性改善効果がある。図３６における破線で示すように、タンジェンシャル方向和差型は、優位である。
【０１５７】
（タンジェンシャル方向エンハンス型：タンジェンシャル方向の二つの領域の信号を減算する。Ｋ５及びＫ６は、係数である。）
Ｃｈ１＝Ａ
Ｃｈ２＝Ｃ
Ｃｈ３＝Ｋ５＊Ｅ−Ｋ６＊Ｆ
Ｃｈ４＝Ｋ６＊Ｅ−Ｋ５＊Ｆ
タンジェンシャル方向エンハンス型は、ＥとＦの位相差をエンハンスする効果があり、マーク位相によって再生特性が改善する。
【０１５８】
（タンジェンシャル方向ブレンド型：タンジェンシャル方向の二つの領域の信号を加算する。Ｋ７、Ｋ８は、係数である。）
Ｃｈ１＝Ａ
Ｃｈ２＝Ｃ３＊Ｃ−Ｋ４＊Ａ
Ｃｈ３＝Ｋ７＊Ｅ＋Ｋ８＊Ｆ
Ｃｈ４＝Ｋ８＊Ｅ＋Ｋ７＊Ｆ
和差型及びエンハンス型の特徴をあわせもつ。
【０１５９】
さらに、タンジェンシャル方向の領域Ｅ、Ｆとラジアル方向の領域Ａとの差を下記の表７に示すようにとるようにしても良い。
【０１６０】
【表７】
2016149172.tif 000011
【０１６１】
表７に示される演算は、下記の種類のものである。
（タンジェンシャルラジアル差型：タンジェンシャル方向の領域Ｅ及びＦから領域Ａを減算する。Ｋ９及びＫ１０は、係数である。）
Ｃｈ１＝Ａ
Ｃｈ２＝Ｃ
Ｃｈ３＝Ｋ９＊Ｅ−Ｋ１０＊Ａ
Ｃｈ４＝Ｋ９＊Ｆ−Ｋ１０＊Ａ
【０１６２】
（ラジアル方向内外ブレンド和差型＋タンジェンシャルラジアル差型）
Ｃｈ１＝Ｋ１＊Ａ＋Ｋ２＊Ｃ
Ｃｈ２＝Ｋ３＊Ｃ−Ｋ４＊Ａ
Ｃｈ３＝Ｋ９＊Ｅ−Ｋ１０＊Ａ
Ｃｈ４＝Ｋ９＊Ｆ−Ｋ１０＊Ａ
【０１６３】
実際の光ディスク再生装置においては、装着されるディスクの品質は一定ではなく、ディフェクトの多いディスクが装着される場合もある。すなわち、ディフェクト等の外乱として、記録面上の異物、溝成形不良、記録膜の不良等の小さなものから、中間層やカバー層に含まれる異物や気泡等の大きなもの、さらにはディスク表面に付着した塵埃や指紋等が考えられる。このようなディフェクト等の外乱が多いディスクで、領域間の差をとる演算を用いることで、エラーの発生を抑圧することができる。
【０１６４】
なお、マーク位相やディフェクトの傾向により演算の係数を変えてもよい。係数の値は、係数は差をとる領域間の面積比、光量比を基準に最適化することができる。
ディフェクト等の外乱が多いディスクで、領域間の差をとる演算を用いることで、エラーの発生を抑圧することができる。
【０１６５】
「本開示の効果」
以下、本開示の効果について、パターンＶＨＴ４を例に説明する。図３７は、領域の信号に関する演算を行わない場合で、ディフェクトの少ないディスクを再生した場合のエラーレートの測定例のグラフである。例えば図１に示すディスク再生装置が使用される。使用したディスクは、下記に示す片面３層構造のディスクである。なお、実線のグラフは、グルーブ再生時のエラーレートであり、破線のグラフは、ランド再生時のエラーレートである。横軸は、クロック数であり、縦軸がエラーレートである。図３７に示すように、ディフェクトの少ないディスクを再生した場合では、特に問題が生じない。
【０１６６】
記録面が片面３層構造
Tp=0.225μm(ランド、グルーブのそれぞれが）
信号記録密度  LD35.18ＧＢ(53nm/channelbit)   50.0ＧＢ/層、両面6層で300ＧＢ相当
ランドグルーブ双方に記録
【０１６７】
図３８及び図３９は、ディフェクトの多いディスクを再生した場合のエラーレートの測定例のグラフである。使用したディスク及びグラフの縦軸及び横軸は、図３７と同様である。図３８は、グルーブ再生時のデータであり、図３９は、ランド再生時のデータである。図３８及び図３９において、実線のグラフは、領域の信号に関する演算を行わない場合のデータを示し、破線のグラフは、表８に示すように、領域の信号に関する演算を行う本開示によるデータである。図３８及び図３９に示すように、ディフェクトの多いディスクを再生した場合では、本開示によってエラーレートを下げることができる。
【０１６８】
すなわち、ディフェクト等の外乱が多いディスクで、領域間の差をとる演算を用いることで、エラーの発生を抑圧することができる。なお、マーク位相やディフェクトの傾向により演算の係数を変えてもよい。係数によって、差をとる領域間の面積比、光量比を基準に最適化することができる。特に、このような効果は、タンジェンシャル方向に中心位置が異なる複数の領域からの出力を使用する分割パターン（Ｔタイプと称する）の場合に大きいものとなる。
【０１６９】
【表８】
2016149172.tif 000012
【０１７０】
表８に示す演算は、ラジアル方向内外ブレンド和差型＋タンジェンシャルラジアル差型の型である。さらに、グルーブ再生時の演算と、グルーブ及びランドで共通の演算と、ランド再生時の演算とが示されている。
グルーブ再生時：
Ｃｈ１＝Ａ
Ｃｈ２＝Ｃ−２．５＊Ａ
Ｃｈ３＝Ｅ−０．５＊Ａ
Ｃｈ４＝Ｆ−０．５＊Ａ
グルーブ及びランド共通の演算：
Ｃｈ１＝Ａ
Ｃｈ２＝Ｃ−３＊Ａ
Ｃｈ３＝Ｅ−０．７＊Ａ
Ｃｈ４＝Ｆ−０．７＊Ａ
ランド再生時：
Ｃｈ１＝Ａ＊０．５Ｃ
Ｃｈ２＝Ｃ−５＊Ａ
Ｃｈ３＝Ｅ−１．２＊Ａ
Ｃｈ４＝Ｆ−１．２＊Ａ
【０１７１】
上述した図３２に示す分割パターンＩＶＴ４Ｍの６個の領域Ａ１、Ａ２、Ｂ、Ｄ、Ｅ、Ｆを、表２に示すように、選択パターンＩＶＴ４Ｍ、ＩＶＲ４Ｍ、ＩＶＬ４Ｍに対応して演算するようにしている。このような場合に対しても本開示を適用できる。各選択パターンに関しての演算例を以下に示す。ここでは、ラジアル方向の外側の領域と差をとる構成としている。例えば、ラジアル方向内外ブレンド和差型＋タンジェンシャルラジアル差型である。
【０１７２】
選択パターンＩＶＴ４Ｍ（ＳＤ）の演算例を表９に示す。
【０１７３】
【表９】
2016149172.tif 000013
【０１７４】
選択パターンＩＶＴ４Ｍの演算例を表１０に示す。
【０１７５】
【表１０】
2016149172.tif 000014
【０１７６】
選択パターンＩＶＲ４Ｍの演算例を表１１に示す。
【０１７７】
【表１０】
2016149172.tif 000015
【０１７８】
選択パターンＩＶＬ４Ｍの演算例を表１２に示す。
【０１７９】
【表１２】
2016149172.tif 000016
【０１８０】
選択パターンＩＶＲ４Ｍに関して、係数の設定例を表１３に示す。
【０１８１】
【表１３】
2016149172.tif 000017
【０１８２】
表１３のように係数を設定して、ディフェクトの多いディスクを再生した場合のエラーレートの測定例を図４０のグラフに示す。使用したディスク及びグラフの縦軸及び横軸は、図３７と同様である。図４０は、グルーブ再生時のデータである。図４０において、実線のグラフは、領域の信号に関する演算を行わない場合のデータを示し、破線のグラフは、表１３に示すように、領域の信号に関する演算を行う本開示によるデータである。図４０に示すように、ディフェクトの多いディスクを再生した場合では、本開示によってエラーレートを下げることができる。
【０１８３】
すなわち、ディフェクト等の外乱が多いディスクで、領域間の差をとる演算を用いることで、エラーの発生を抑圧することができる。なお、マーク位相やディフェクトの傾向により演算の係数を変えてもよい。係数によって、差をとる領域間の面積比、光量比を基準に最適化することができる。
【０１８４】
「領域間の演算を行った場合でも信号特性が大きく劣化しないことの説明」
上述したように、本開示の実施の形態では、領域間の演算として、演算前の信号数と演算後の信号数とが等しい演算を行うようにしている。上述した「和と差」以外にも領域間演算前後の信号数が等しい演算は、種々の場合が考えられる。
【０１８５】
パターンＶＨＴ４を例に領域間の演算を行っても、信号特性が大きく劣化しないことを説明する。説明の便宜上、領域に対応する信号名を図４１に示すように変える。以下に説明するように、平均信号レベルが同等から２倍程度のゲイン（係数）を乗じて加減算しても、信号特性が大きくは劣化しない。
【０１８６】
第１の例として下記の演算を行った場合に、係数Ｋｔｒに対するｅ−ＭＬＳＥの変化のシミュレーション結果を図４２に示す。
【０１８７】
Ｃｈ１＝Ｒ
Ｃｈ２＝Ｔａ＋Ｋｔｒ＊Ｒ
Ｃｈ３＝Ｃ
Ｃｈ４＝Ｔｂ＋Ｋｔｒ＊Ｒ
【０１８８】
シミュレーションの条件は、下記のものである。
Tp=0.225μm(ランド、グルーブのそれぞれが）
信号記録密度  LD35.18ＧＢ(53nm/channelbit)
50ＧＢ／層
ランドグルーブ双方に記録
【０１８９】
図４２において、破線は、（Ｋｔｒ＝−０．６、Ｋｔｒ＝０．６）の位置をそれぞれ示している。この破線は、タンジェンシャル方向の外側の領域Ｔａ、Ｔｂとラジアル方向の外側の領域Ｒとの平均光量比に対応している。（Ｋｔｒ＝０．６）とした場合の値（０．６Ｒ）がＴａと平均光量比でほぼ等しいものとなる。すなわち、図４２のシミュレーション結果は、タンジェンシャル方向の外側に対応する信号Ｔａ、Ｔｂに対して、（平均光量比程度の信号Ｒを加算〜平均光量比のほぼ２倍程度の信号Ｒを減算）の範囲内では、信号特性の劣化が小さいことを示している。
【０１９０】
第２の例として下記の演算を行った場合に、係数Ｋｃｒに対するｅ−ＭＬＳＥの変化のシミュレーション結果を図４３に示す。
【０１９１】
Ｃｈ１＝Ｒ
Ｃｈ２＝Ｔａ
Ｃｈ３＝Ｃ＋Ｋｃｒ＊Ｒ
Ｃｈ４＝Ｔｂ
【０１９２】
シミュレーションの条件は、下記のものである。
Tp=0.225μm(ランド、グルーブのそれぞれが）
信号記録密度  LD35.18ＧＢ(53nm/channelbit)
50ＧＢ／層
ランドグルーブ双方に記録
【０１９３】
図４３において、破線は、（Ｋｃｒ＝−２、Ｋｃｒ＝２）の位置をそれぞれ示している。この破線で挟まれる範囲は、タンジェンシャル方向の外側の領域Ｔａ、Ｔｂとラジアル方向の外側の領域Ｒとの平均光量比に対応している。（Ｋｃｒ＝２）とした場合の値（２Ｒ）がＣと平均光量比でほぼ等しいものとなる。すなわち、図４３のシミュレーション結果は、中央の領域に対応する信号Ｃに対して、（平均光量比程度の信号Ｒを加減算）の範囲内では、信号特性の劣化が小さいことを示している。
【０１９４】
第３の例として下記の演算を行った場合に、係数Ｋrtctに対するｅ−ＭＬＳＥの変化のシミュレーション結果を図４４に示す。
【０１９５】
Ｃｈ１＝Ｒ＋Ｋrtct＊（Ｔａ＋Ｃ＋Ｔｂ）
Ｃｈ２＝Ｔａ
Ｃｈ３＝Ｃ
Ｃｈ４＝Ｔｂ
【０１９６】
シミュレーションの条件は、下記のものである。
Tp=0.225μm(ランド、グルーブのそれぞれが）
信号記録密度  LD35.18ＧＢ(53nm/channelbit)
50ＧＢ／層
ランドグルーブ双方に記録
【０１９７】
図４４において、破線は、（Ｋrtct＝０．３、Ｋrtct＝−０．３）の位置をそれぞれ示している。この破線で挟まれる範囲は、タンジェンシャル方向の外側の領域Ｔａ、Ｔｂ及び中央領域Ｃとラジアル方向の外側の領域Ｒとの平均光量比に対応している。（Ｋrtct＝０．３）とした場合の値（０．３（Ｔａ＋Ｃ＋Ｔｂ））がＲと平均光量比でほぼ等しいものとなる。すなわち、図４４のシミュレーション結果は、ラジアル方向の外側の領域に対応する信号Ｒに対して、（平均光量比程度の信号（Ｔａ＋Ｃ＋Ｔｂ）を加算〜平均光量比の２倍程度の信号（Ｔａ＋Ｃ＋Ｔｂ）を減算）の範囲内では、信号特性の劣化が小さいことを示している。
【０１９８】
上述したように、本開示は、領域間の演算を行い、ディフェクト等の外乱に対する耐性を向上できるものである。上述したシミュレーション結果から分かるように、平均光量比（平均信号レベル）が同等から２倍程度の範囲内の係数を乗じて加減算しても信号特性が大きく劣化しない。
【０１９９】
なお、係数は、固定してもよいし、いくつかの定数を用意し、定数を切り換えてもよい。さらに、係数を可変としてもよい。さらに、領域間演算は、ＯＥＩＣ（ＰＤＩＣ）上でアナログ回路を用いて行ってもよいし、ＯＥＩＣ出力を別に設けたマトリクス回路（アナログ回路）で行ってもよいし、Ａ／Ｄコンバータでデジタル信号に変換した後、デジタル回路で行ってもよい。
【０２００】
さらに、本開示において、ディフェクト耐性改善のための演算を用いる場合と、演算を用いない場合とを切り換えて、特性の差異を計測することによって、ディフェクトを検出することもでき、ディフェクト対策に検出結果を利用することができる。さらに、ディスク表面の塵埃に関して、ドライブまたはライブラリ内に風を噴射したり、拭き取り等によって、ディスクをクリーニングする機構を設けることは有用である。ディスク検出結果を使用してクリーニングする機構の動作を制御するようにしても良い。大容量化のために両面ディスクとしている場合には、特に塵埃の影響を受けやすいので、ディスクをクリーニングする機構を設けることは、効果的である。
【０２０１】
＜変形例＞
以上、本開示の実施の形態について具体的に説明したが、上述の各実施の形態に限定されるものではなく、本開示の技術的思想に基づく各種の変形が可能である。例えば、上述したレーザ光源の波長、トラックピッチ、記録線密度の数値等は、一例であって、他の数値を使用しても良い。さらに、再生性能を評価するための指標としては、上述したもの以外を使用しても良い。さらに、光ディスクに対して記録及び再生の一方のみを行う光ディスク装置に対しても本開示を適用できる。
【０２０２】
また、上述の実施の形態の構成、方法、工程、形状、材料及び数値などは、本開示の主旨を逸脱しない限り、互いに組み合わせることが可能である。
【０２０３】
なお、本開示は、以下のような構成も取ることができる。
（１）
複数トラックが形成される光媒体を光学的に再生する光媒体再生装置であって、
光媒体からの戻り光ビームが入射され、空間光学的にタンジェンシャル方向およびラジアル方向に帯域の異なる複数の信号を形成する光学フィルタと、
前記光学フィルタによって形成される複数の第１の信号を、演算して複数のチャンネルの第２の信号を形成する演算部と、
前記第２の信号がそれぞれ入力され、前記第２の信号を処理して再生信号を得る電気フィルタとを備える光媒体再生装置。
（２）
前記第１の信号の数と、前記第２の信号の数とが等しいものである（１）に記載の光媒体再生装置。
（３）
前記光学フィルタは、前記戻り光ビームの光束をタンジェンシャル方向及びラジアル方向に位置の異なる複数の領域に分割し、前記複数の領域にそれぞれ入射した光量に応じた複数の検出信号を、前記第１の信号とする（１）または（２）に記載の光媒体再生装置。
（４）
前記演算部は、前記タンジェンシャル方向に位置の異なる複数の領域の前記検出信号を加算または減算して、前記第２の信号を形成する（３）に記載の光媒体再生装置。
（５）
前記演算部は、前記ラジアル方向に位置の異なる複数の領域の前記検出信号を加算または減算して、前記第２の信号を形成する（３）に記載の光媒体再生装置。
（６）
前記演算部は、前記タンジェンシャル方向に位置の異なる複数の領域の検出信号と、前記ラジアル方向に位置の異なる複数の領域の検出信号との一方を他方に対して加算または減算して、前記第２の信号を形成する（３）に記載の光媒体再生装置。
（７）
前記電気フィルタは、前記複数のチャンネルの信号がそれぞれ供給される複数のイコライザユニットを有し、複数の前記イコライザユニットの出力を演算して等化信号として出力する多入力イコライザ部と、
前記等化信号について２値化処理を行って２値データを得る２値化部とを備える（１）乃至（６）の何れかに記載の光媒体再生装置。
（８）
前記多入力イコライザ部が多入力適応イコライザ部の構成とされ、
前記２値化部の２値検出結果に基づいて得られる等化目標信号と、前記多入力適応イコライザ部から出力される等化信号とから等化誤差を求め、該等化誤差を、前記適応イコライザユニットに適応等化のための制御信号として供給する等化誤差演算部と
を有する（７）に記載の光媒体再生装置。
（９）
前記多入力適応イコライザ部は、出力信号についてパーシャルレスポンス等化処理を行い、
前記２値化部は、前記多入力適応イコライザ部の等化信号についての２値化処理として最尤復号処理を行い、
前記等化誤差演算部は、前記最尤復号による２値検出結果の畳込処理で得られる等化目標信号と、前記多入力適応イコライザ部から出力される等化信号とを用いた演算により等化誤差を求める（８）に記載の光媒体再生装置。
（１０）
前記光媒体は、ランド及びグルーブが交互に形成されており、
前記ランド及び前記グルーブの両方に情報を記録された光媒体を再生する（１）乃至（９）の何れかに記載の光媒体再生装置。
（１１）
複数トラックが形成される光媒体を光学的に再生する光媒体再生方法であって、
光学フィルタによって、入射された光媒体からの戻り光ビームを、空間光学的にタンジェンシャル方向およびラジアル方向に帯域の異なる複数の信号を形成し、
演算部によって、前記光学フィルタによって形成される複数の第１の信号を、演算して複数のチャンネルの第２の信号を形成し、
電気フィルタによって、入力される前記第２の信号を処理して、再生信号を得る
光媒体再生方法。
【符号の説明】
【０２０４】
１３    多入力適応イコライザ
１４    ２値化検出器
１５    ＰＲ畳込器
２１〜２３    適応イコライザユニット
１００    光ディスク
１０１    光ピックアップ
１０５    データ検出処理部
１３１    光学フィルタ
１３２    演算部
１３３1〜１３３n    電気フィルタ
【図１】
2016149172.tif 000018
【図２】
2016149172.tif 000019
【図３】
2016149172.tif 000020
【図４】
2016149172.tif 000021
【図５】
2016149172.tif 000022
【図６】
2016149172.tif 000023
【図７】
2016149172.tif 000024
【図８】
2016149172.tif 000025
【図１３】
2016149172.tif 000026
【図１４】
2016149172.tif 000027
【図１５】
2016149172.tif 000028
【図１７】
2016149172.tif 000029
【図１８】
2016149172.tif 000030
【図１９】
2016149172.tif 000031
【図２０】
2016149172.tif 000032
【図２１】
2016149172.tif 000033
【図２２】
2016149172.tif 000034
【図２４】
2016149172.tif 000035
【図３２】
2016149172.tif 000036
【図３３】
2016149172.tif 000037
【図３４】
2016149172.tif 000038
【図３５】
2016149172.tif 000039
【図３６】
2016149172.tif 000040
【図３７】
2016149172.tif 000041
【図３８】
2016149172.tif 000042
【図３９】
2016149172.tif 000043
【図４０】
2016149172.tif 000044
【図４１】
2016149172.tif 000045
【図４２】
2016149172.tif 000046
【図４３】
2016149172.tif 000047
【図４４】
2016149172.tif 000048
【図９】
2016149172.tif 000049
【図１０】
2016149172.tif 000050
【図１１】
2016149172.tif 000051
【図１２】
2016149172.tif 000052
【図１６】
2016149172.tif 000053
【図２３】
2016149172.tif 000054
【図２５】
2016149172.tif 000055
【図２６】
2016149172.tif 000056
【図２７】
2016149172.tif 000057
【図２８】
2016149172.tif 000058
【図２９】
2016149172.tif 000059
【図３０】
2016149172.tif 000060
【図３１】
2016149172.tif 000061